(57)【要約】少なくとも１つのデジタル・メディア・フレームを支持するようにそれぞれ適応された複数のデジタル・メディア・フレーム支持体と、複数のデジタル・メディア・フレームの少なくとも二次元配列を定義するように複数のフレーム支持体を位置決めするアレイ構造と、デジタル・メディア・フレーム・インタフェースを使用してデジタル・メディア・フレームのうちの１つと通信するように適応されたアレイ・インタフェースと、環境刺激を受け取るかまたは生成するように適応された少なくとも１つの形態のユーザ・インタフェース装置を有するアレイ対話システムと、デジタル・メディア・フレームがデジタル・メディア・フレーム・アレイによって支持されたときに、デジタル・メディア・フレーム・アレイが、デジタル・メディア・フレームが支持できないとできない方法でその環境と対話できるようにアレイ・インタフェースにデジタル・メディア・フレームのうちの１つと通信させるように適応されたアレイ・コントローラとを含む方法およびデジタル・メディア・フレーム・アレイが提供される。
2010515934.tif 000002
【特許請求の範囲】
【請求項１】
デジタル・メディア・フレーム・アレイであって、
少なくとも１つのデジタル・メディア・フレームを支持するようにそれぞれ適応された複数のデジタル・メディア・フレーム支持体であって、前記デジタル・メディア・フレームは、外部装置と通信しかつそのような通信に基づいてデジタル・データをプロセッサに提供するように適応されたデジタル・メディア・フレーム・インタフェースを有し、前記プロセッサは、少なくとも、提供された前記デジタル・データ内の任意のデジタル画像をデジタル表示装置上に提示させるように動作可能であるデジタル・メディア・フレームと、
前記複数のデジタル・メディア・フレームの少なくとも二次元配列を定義するために前記複数のフレーム支持体を位置決めするアレイ構造と、
前記デジタル・メディア・フレームに前記デジタル・メディア・フレーム・インタフェースを使用して前記デジタル・メディア・フレームのうちの１つと通信するように適応されたアレイ・インタフェースと、
環境刺激を受け取るかまたは生成するように適応された少なくとも１つの形のユーザ・インタフェース装置を有するアレイ対話システムと、
前記アレイ・インタフェースを前記デジタル・メディア・フレームのうちの１つと通信させるように適応されたアレイ・コントローラとを備え、それにより、前記アレイ・コントローラは、前記デジタル・メディア・フレームおよび前記アレイ対話システムのために前記プロセッサと協力して、前記デジタル・メディア・フレームが、前記デジタル・メディア・フレーム・アレイによって支持されたときに、前記デジタル・メディア・フレーム・アレイが、前記デジタル・メディア・フレームが支持できないとできない方法でその環境と対話することができるデジタル・メディア・フレーム・アレイ。
【請求項２】
前記アレイ対話システムは、リモート装置と通信するように適応されたリモート・データ信号インタフェース・システムを含み、前記アレイ・コントローラは、前記遠隔制御装置から受け取った信号に基づいて前記アレイ・インタフェースが信号を前記プロセッサに送るようにする、請求項１に記載のデジタル・メディア・フレーム・アレイ。
【請求項３】
前記アレイ対話システムは、前記アレイに対する人の存在を検出するように適応された存在センサを含み、前記アレイ・コントローラは、前記プロセッサが画像提示を保留するかどうかを判定することができる信号を、前記アレイ・インタフェースが前記プロセッサに送るようにする、請求項１に記載のデジタル・メディア・フレーム・アレイ。
【請求項４】
前記アレイ対話システムは、前記アレイ・コントローラによって提供されたデジタル音声データに基づいて音声信号を生成するように適応された音声システムを含み、前記アレイ・コントローラは、前記プロセッサと協力して前記デジタル音声データを取得する、請求項１に記載のデジタル・メディア・フレーム・アレイ。
【請求項５】
前記アレイ対話システムは、特定のメモリ集約的な形態の環境的対話を可能にするために必要に応じて前記プロセッサに追加のメモリ容量を提供するメモリ・バッファ・システムを有する、請求項１に記載のデジタル・メディア・フレーム・アレイ。
【請求項６】
前記アレイ対話システムは、特定の処理集約的な形態の環境的対話を可能にするために必要に応じて前記プロセッサに追加の処理能力を提供する補助処理システムを有する、請求項１に記載のデジタル・メディア・フレーム・アレイ。
【請求項７】
前記アレイ対話システムは、ＬＣＤ型照明システムを使用する前記デジタル・メディア・フレーム内で使用するための追加の背面照明を提供するように適応された補助背面照明システムを有する、請求項１に記載のデジタル・メディア・フレーム・アレイ。
【請求項８】
前記アレイ対話システムは、タッチ・センシティブ面と接触された時間と場所を示す信号を前記アレイ・コントローラに提供するタッチ・スクリーンを構成するために、前記少なくとも１つの表示装置上に位置決めされた透明タッチ・センシティブ面を有し、前記アレイ・コントローラは、前記接触ポイントに対応する位置に配置された表示装置を有する前記複数のデジタル・メディア・フレームのうちの１つのデジタル・メディア・フレームのためにプロセッサに伝送するデータを決定する、請求項１に記載のデジタル・メディア・フレーム・アレイ。
【請求項９】
前記アレイ・コントローラは、前記複数のデジタル・メディア・フレームのうちのどのデジタル・メディア・フレームが前記複数の支持体のうちのどの支持体によって支持されるかを決定し、この決定を使用して前記デジタル・メディア・フレームの相対位置をさらに決定するように適応された、請求項１に記載のデジタル・メディア・フレーム・アレイ。
【請求項１０】
前記アレイ構造は、前記フレーム支持体を位置決めする支柱を有する、請求項１に記載のデジタル・メディア・フレーム・アレイ。
【請求項１１】
前記アレイ構造は、前記フレーム支持体を位置決めするために少なくとも１本のケーブルの構成を有する、請求項１に記載のデジタル・メディア・フレーム・アレイ。
【請求項１２】
前記アレイ・インタフェースは、前記支持体に物理的に配置された通信リンクを使用して前記デジタル・メディア・フレーム・インタフェースと通信するように適応される、請求項１に記載のデジタル・メディア・フレーム・アレイ。
【請求項１３】
前記アレイ構造は、前記デジタル・メディア・フレームの三次元配列を提供するように前記フレーム支持体を位置決めする、請求項１に記載のデジタル・メディア・フレーム・アレイ。
【請求項１４】
デジタル画像を使用する第１組の少なくとも１つの機能を少なくとも実行するように適応されたフレームを有する複数のデジタル・メディア・フレームを制御する方法であって、前記１組が表示装置上にデジタル画像を提示するステップを含み、
前記デジタル・メディア・フレームを複数の支持体上に支持するステップと、
前記支持されたデジタル・メディア・フレームのうちの選択された１つのデジタル・メディア・フレームによって交換データへの通信リンクを確立する段階と、
前記選択されたデジタル・メディア・フレームが交換されたデータを使用して実行するように適応されない少なくとも１つの機能と、前記選択されたデジタル・メディア・フレームの外部の少なくとも１つのシステムとを実行する段階とを含み、
前記少なくとも１つの機能が、環境的対話機能である方法。
【発明の詳細な説明】
【技術分野】
【０００１】
本発明は、複数の画素化表示装置を使用してデジタル画像を提示領域に表示する表示システムおよび表示システムを制御する方法に関する。
【背景技術】
【０００２】
パーソナル・メディア・プレイヤー、デジタル・フォト・フレーム、コンピュータ、携帯電話、デジタル・プロジェクタ、ＴＶ等の民生電子装置における液晶、有機発光ダイオード、プラズマ、および類似のタイプの表示画面の使用により、薄型テレビ産業、計算処理産業およびデジタルカメラ産業は大きく成長した。何百万台もの表示装置が製造されているので、消費者は、表示装置のコストの大幅な低下を享受してきた。安価な表示装置によって、個人用デジタル写真とビデオ・クリップの表示を含むがこれに限定されない様々な目的のために、壁上にそのような表示装置の集まりを作成することができる。そのような集まりは、何種類かのパターンで、異なる画面サイズのものを作成することができる。多くの人の目的は、これらの表示装置をタイル状に並べて、表示装置全体にわたって比較的連続的に単一画像を提示できるようにすることである。
【０００３】
たとえば、コンピュータ援用設計およびスプレッドシート型アプリケーションの大きなワークスペースを提供するのに使用するために、コンピュータ・モニタ用の表示装置を連結して２台および３台の表示装置が連結されかつ単一コンピュータに接続された状態にすることが知られている。また、没入環境等のゲーミング経験を提供するために表示装置を連結することも知られている。たとえば、特許文献１では、ユーザの視野のまわりに凹状に配列された複数の平面ディスプレイを使用して三次元没入環境を作成することが提案されている。しかしながら、この場合も、全体の目的は、実質的に単一表示画像と同じものであるが人の視野をシミュレートするように提供される表示経験を提供することである。
【０００４】
特許文献２は、隣接した表示装置を光センサまたは電気センサを介して視覚的に確認する個々の表示装置について述べている。しかし、各表示装置の場所をユーザにフィードバックする手段や画像を表示装置間で移動させる機能はない。
【０００５】
さらに、特許文献３と特許文献４で、１つの家のまたは複数の家の様々な部屋内にある複数の写真フレームが提案されたが、ユーザとしてフレームとフレームを連動させたり任意の単一フレームから画像の壁を管理する方法はない。したがって、デジタル・メディア・フレームの集まりの中の視覚的コンテンツを視野内で意味論タイプ（semantic type）によって対話式に管理するシステムが必要とされる。
【０００６】
さらに、複数の表示装置および表示タイプの全体にわたるマルチメディア・コンテンツの管理は、ユーザに新しい問題を提起する。グループで美的に配置された複数のデジタル表示装置が、数秒ごとにリフレッシュされる可能性がある常に変化するコンテンツを提示する可能性がある。デジタル写真フレームのそのようなグループは、壁に取り付けられるかマントル上に置かれるような同じ視野内または相対位置に配置されることができ、複数のフレームが装飾的パターンの配列（マトリックス）で提示されるという点で特別な事例を提供する。このことは、フレームに入れられた紙の写真が、多くの場合、孫、休暇、花等の写真のように何らかの主題関連性を有するグループで提示されることと似ている。
【０００７】
「固定されたパターン」の先行技術のシステムと異なり、本発明の装置は、任意数の装置でよく、またユーザが望む任意の自由形式パターンまたは位置で配置されることができる。デジタル写真フレームが、マルチメディア・コンテンツを無線で受信することができるので、ユーザは、その位置と場所をいつでも修正することができる。審美的アプリケーション、コンテキスト・アプリケーションおよび朗読アプリケーションが、コンテンツを、消費者により選択されたパターンのデジタル写真フレームを利用する順序、形態または形式で提示することが望ましい。
【０００８】
例には、３つのデジタル写真フレームが、互いに近接して配置されかつ一列に配列され、パノラマ・デジタル画像が、ユーザ介在なしに個々のフレーム全体にわたって提示されることが示されている。また、相対位置、ＨＤＴＶ１６／９やＴＶ４／３等の形式、および解像度が分かっているので、パノラマ画像をフレーム間で適切に分割することでき、また３つ全てのフレーム全体にわたって掃引するように見えるような方法でロードすることができる。別の例は、９つのデジタル写真フレームが、壁に相対的３×３マトリックスでかけられ、ユーザは、そのアレイを使用して彼女の「９人の孫」の写真とビデオを提示し、それぞれ個々のフレームが特定の孫に指定されることをシステムに指定することである。システムが、孫の名前のメタデータ・タグを有する画像のような意味論的にタグ付けされたコンテンツを受信したとき、システムは、自動的に、孫が指定されたデジタル写真フレームのアレイのうちの適切なデジタル写真フレーム上に適切な孫のタグが付けられたメディアを配置する。
【０００９】
さらに、ムービーとデジタル・スライドショーで使用されるデジタル「トランジション」は、単一表示装置上に表示されかつデジタル・マルチメディア・コンテンツ要素間の移行（transition）を示すように設計されている。トランジションは、２つの連続するコンテンツ要素を「時間的に混合」して、第１のコンテンツ要素が消え第２のコンテンツ要素が現われるようにするほとんど無限の種類のデジタル効果を含むことができる。トランジションの方向的様相は、コンテンツが表示されている単一フレームまたは単一表現装置に限定される。既知の相対位置を有する複数の表現装置の場合、トランジション効果を使用して複数の表現装置全体にわたってコンテンツを「空間的に混合」する可能性がある。これは、より審美的な視聴経験を提供し、また複数の表示装置を見ているときに注意を向けるべき場所に関する指示をユーザに提供することになる。
【先行技術文献】
【特許文献】
【００１０】
【特許文献１】米国特許第７，０９１，９２６号
【特許文献２】米国特許第６，５７０，５４６号
【特許文献３】米国特許第７，１０７，６０５号
【特許文献４】米国特許第６，３５５，２２８号
【発明の概要】
【課題を解決するための手段】
【００１１】
少なくとも１つのデジタル・メディア・フレームを支持するようにそれぞれ適応された複数のデジタル・メディア・フレーム支持体と、複数のデジタル・メディア・フレームの少なくとも二次元配列を定義するように複数のフレーム支持体を位置決めするアレイ構造と、デジタル・メディア・フレーム・インタフェースを使用してデジタル・メディア・フレームのうちの１つと通信するように適応されたアレイ・インタフェースと、環境刺激を受け取るかまたは生成するように適応された少なくとも１つの形態のユーザ・インタフェース装置を有するアレイ対話システムと、デジタル・メディア・フレームがデジタル・メディア・フレーム・アレイによって支持されたときに、デジタル・メディア・フレーム・アレイが、デジタル・メディア・フレームが支持できないとできない方法でその環境と対話できるようにアレイ・インタフェースにデジタル・メディア・フレームのうちの１つと通信させるように適応されたアレイ・コントローラとを含む方法およびデジタル・メディア・フレーム・アレイが提供される。
【図面の簡単な説明】
【００１２】
【図１】デジタル・メディア・フレーム（「ＤＭＦ」）と外部入力装置の間の接続を示す図である。
【図２】ＤＭＦの一実施形態のブロック図である。
【図３】ＤＭＦの別の実施形態のブロック図である。
【図４】表示装置、演算処理装置およびユーザ入力装置を有するＤＭＦの一実施形態の外観図である。
【図５】ＤＭＦの一実施形態でのデータ・フローを示すフローチャートである。
【図６】ＤＭＦのデータ制御の一実施形態を示すフローチャートである。
【図７】ＤＭＦを含むネットワーク構成の一実施形態を示す図である。
【図８】ＤＭＦのアーキテクチャの一実施形態を示す図である。
【図９】画像を表示する複数の形態のうちの一実施形態を示すフローチャートである。
【図１０】ＤＭＦネットワーク・サービスにアクセスする複数の機構の一実施形態を示す図である。
【図１１】様々な装置からデータを受け取る一実施形態を示すフローチャートである。
【図１２】ＤＭＦの様々な形態のうちの一実施形態を示すフローチャートである。
【図１３】画像データを実施するためのＤＭＦウィンドウの一実施形態を示すフローチャートである。
【図１４】部屋の共有壁上に配置された複数のＤＭＦの斜視図である。
【図１５】部屋の共有壁上に配置された複数のＤＭＦの上面図である。
【図１６】２つのＤＭＦが共有壁上にあり１つのＤＭＦが壁から離れて位置決めされた状態で配置された複数のＤＭＦの斜視図である。
【図１７】２つのＤＭＦが共有壁上にあり１つのＤＭＦが壁から離れて位置決めされた状態で配置された複数のＤＭＦの上面図である。
【図１８】提示スペースを提供するための部屋内のＤＭＦの１つの分布の斜視図である。
【図１９Ａ】ＤＭＦアレイの前面斜視図である。
【図１９Ｂ】ＤＭＦアレイの後面斜視図である。
【図１９Ｃ】リモート・データ信号インタフェースを有するアレイ対話システムの別の実施形態を示す図である。
【図１９Ｄ】リモート・データ信号インタフェースを有するアレイ対話システムの別の実施形態を示す図である。
【図２０】ＤＭＦアレイの支柱取り付け実施形態の正面図である。
【図２１】ＤＭＦアレイの電力ケーブル取り付け実施形態の正面図である。
【図２２】アレイを構成するモジュール式連結ＤＭＦの斜視図である。
【図２３】ＤＦＭの構成を有する部屋の斜視図である。
【図２４】図２３の構成の下面図である。
【図２５】デジタル画像を提示するシステム内で複数のＤＭＦを動作させる方法の第１の実施形態を示す図である。
【発明を実施するための形態】
【００１３】
複数のデジタル・メディア・フレームを使用してデジタル画像を表示する方法およびシステムが提供される。デジタル画像という用語は、本明細書では、視覚的に知覚可能な出力を提示するための基礎として、デジタル・メディア・フレームによって使用できる任意の形のデータを指すために広義に使用される。そのようなデジタル画像は、任意の形態の静止画像、一連の静止画像、画像情報ストリーム、ビデオ画像、文字、またはグラフィック情報もしくは表現を含むことができるがこれらに限定されない。デジタル画像は、静止画像データ、ビデオ・データ、文字データ、図形データおよび図形表現を表わすデータ、ラスタ・データ、数式、データ構造および／またはこれらの任意の組み合わせを含むことができるデジタル画像データの形で符号化されてもよい。本明細書で説明され特許請求される方法およびシステムは、複数の個々の表示装置を実質的に組み合わせる従来の手段を使用することなく、複数の個々のデジタル・メディア・フレームを使用して、デジタル画像を効率的かつ直観的に理解可能な様式で提示し、その結果、それらのデジタル画像が、単一のほぼ連続的な表示装置として動作するように見えるようにできる。
【００１４】
以下の節は、個々のデジタル・メディア・フレームの一般構造、動作および使用について述べ、次に複数のそのようなデジタル・メディア・フレームを操作するための方法およびシステムについて述べる。
【００１５】
デジタル・メディア・フレーム
デジタル・メディア・フレーム（ＤＭＦ）は、ユーザが最少のユーザ介在で少なくとも１つのデジタル画像を表示することを可能にする表示装置および制御システムを有する。ＤＭＦは、デジタルカメラ、ビデオカメラ、コンピュータ、電話線、テレビ・ケーブル、およびインターネット・サーバや他のタイプのネットワーク等の様々な外部入力装置からデジタル画像を受け取ることができ、特定の実施形態では、ＤＭＦは、必要に応じて、デジタル画像を取得するように作成されてもよい。デジタル画像を取得すると、ＤＭＦは、各デジタル画像と関連した補助情報を生成することができ、デジタル画像をその補助情報と共にメモリに記憶する。次に、ＤＭＦは、メモリからデジタル画像を補助情報と共に取り出し、表示装置にデジタル画像を表示する。
【００１６】
図１は、外部装置１００とＤＭＦ１０２間の接続の一実施形態を示す。図１では、ＤＭＦ１０２は、カメラ１１０、パーソナル・コンピュータ（「ＰＣ」）１１２、ケーブル・コネクタ１１４、およびインターネット・コネクタ１１６に接続されるように示される。
【００１７】
ＤＭＦ１０２は、さらに、インタフェース・ユニット１０４とユーザ入力構成要素１０５を収容する。ユーザ入力構成要素１０５は、入力装置であるユーザ入力ボタン１０６も含む。インタフェース・ユニット１０４は、カメラ１１０、ＰＣ１１２、ケーブル・コネクタ１１４およびインターネット・コネクタ１１６にそれぞれ接続ケーブル１２０、１２２、１２４および１２６を使用して接続することができる少なくとも１つのＩ／Ｏ（「入出力」）ポートを有する。さらに、インタフェース・ユニット１０４は、デジタル画像データとアナログ画像データの両方を受け取り処理することができる。１つまたは複数のこのような外部装置１００を特定のＤＭＦ１０２に接続できることは当業者に明らかであろう。また、等価な従来の入力装置１００も同様に接続できることも明らかである。
【００１８】
インタフェース・ユニット１０４にカメラ１１０を接続することができる。カメラ１１０は、取得した画像をデジタル形式で提供するデジタル・スチル・カメラまたはデジタル・ビデオ・カメラでよい。カメラ１１０は、また、ＤＭＦ１０２のインタフェース・ユニット１０４や他の部分によってデジタル画像に変換することができるアナログ画像信号を提供するアナログ・ビデオ・カメラでもよい。一実施形態では、カメラ１１０は、たとえば、無線、ケーブルまたは取り外し可能媒体等の従来の伝送媒体を使用して、取得画像をＤＭＦに直接転送することができる。別の実施形態では、カメラ１１０は、最初に取得画像をコンピュータ１１２に転送することができ、コンピュータ１１２は、次に、デジタル画像をＤＭＰ１０２に転送する。カメラ１１０とＤＭＦ１０２間の転送機構としてコンピュータ１１２を使用する利点は、幾つかのタイプのデータ変換を含むＤＭＦ１０２が実行するのに特に適さない幾つかの機能を実行することである。
【００１９】
コンピュータ１１２（ＰＣ、ワークステーション、ミニコンピュータまたはメインフレーム・コンピュータ、またはプロセッサ式システム）は、スキャナ、インターネット・サーバ、カメラ１１０等の他の装置からデジタル画像またはアナログ画像を受け取る。画像を受け取ると、コンピュータ１１２は、その画像をＤＭＦ１０２に渡す前に幾つかの機能を実行することがある。この機能は、表示される画像の順序の並べ換え、アナログ画像からデジタル画像への変換等のあるタイプの画像から別のタイプの画像への変換等を含むことができる。
【００２０】
ケーブル・コネクタ１１４は、テレビラインと電話ラインを含む。このラインは、光媒体、金属媒体、または無線媒体でよい。一実施形態では、インタフェース・ユニット１０４は、ケーブル・コネクタ１１４からデジタル画像を直接受け取ることができる。別の実施形態では、インタフェース・ユニット１０４は、コンピュータ１１２等の転送機構からデジタル画像を受け取り、ケーブル・コネクタ１１４が、コンピュータ１１２に接続される。
【００２１】
インターネット・コネクタ１１６は、ＤＭＦ１０２がインターネット・ノードからデジタル画像を直接受け取ることを可能にする別の外部装置１００である。一実施形態では、ＤＭＦ１０２は、ＨＴＭＬ（「ハイパーテキストマークアップ言語」）を読み出し、伝送制御プロトコル（「ＴＣＰ」）／インターネット・プロトコル（「ＩＰ」）とインタフェースするように構成される。接続ケーブル１２０，１２２、１２４および１２６が、従来の光、電気、または無線データ通信技術を使用できることに注意されたい。
【００２２】
図２は、デジタル・メディア・フレーム２００の一実施形態のブロック図を示す。示した実施形態では、デジタル・メディア・フレーム１２０は、インタフェース回路２０４、処理回路２０６、メモリ２０８、ディスプレイ・コントローラ２１０および表示装置２１２、ユーザ入力システム２１４、および任意選択のセンサ２１６を有する。
【００２３】
インタフェース回路２０４は、デジタル・メディア・フレーム２０が外部装置２０２から入力データを受け取ることを可能にし、また外部装置２０２にデータを送るために必要に応じて使用されてもよい。外部装置２０２は、デジタル・スチル・カメラ、デジタル・ビデオ・カメラ、スキャナ、コンピュータ、ローカル・サーバ、リモート・サーバ、メモリ装置、インターネット、プリンタ、インターネット・アプライアンス、遠隔制御装置（後で詳しく説明されるような）、携帯情報端末、個人用ビデオ・プレーヤ、電話、通信ネットワーク、携帯電話、アナログ・テレビ、デジタル・テレビ、ケーブル、衛星もしくは他のテレビジョン・システム等のテレビ信号分配システム、ソリッド・ステート式、光学式、磁気式テレビジョン信号記録および／または再生システム等のテレビジョン・システムのレコーダまたはプレーヤ等のテレビジョン記憶システムを含むが、これらに限定されない。後でより詳しく述べるように、インタフェース・ユニット２０４は、他のＤＭＦおよび／または遠隔制御装置を含む１つまたは複数の他のタイプの外部装置と通信するように適応されてもよい。
【００２４】
インタフェース回路２０４は、多くの既知の形態をとることができる。インタフェース回路２０４が、既にＤＭＦ１０２による使用に適切な形のデータ信号を提供する外部装置２０２に接続された場合は、インタフェース回路２０４は、適切にフォーマットされたデジタル・データを受け取り使用するのに適切な構造だけを備えればよい。また、インタフェース回路２０４は、特定の無線または有線通信システムまたは規格を使用するデータ交換に特に適応された光学信号、無線周波数信号または他の形態の信号を使用することによって、接続された外部装置２０２とのデータ交換を可能にするように適応されてもよい。この点に関して、インタフェース回路２０４は、そのようなデータ交換を可能にするのに適した光学式、無線周波数式または他の方式の受信回路、および必要に応じて送信回路を提供することができ、インタフェース回路２０４は、直接電気または光学経路を使用して外部装置２０２と通信するように適応されてもよく、また、たとえば、シリアル・ポート、パラレル・ポート、またはコンピュータ・ネットワークまたはインターネットに対するネットワーク接続インタフェースを有することができる。
【００２５】
さらに、インタフェース回路２０４は、また、任意のデジタル・データを受け取った形式からＤＭＦ１０２が使用できる形式にさらに変換するのに適した回路を備えることができる。代替として、インタフェース回路２０４は、外部装置２０２のうちの１つから信号を受け取り、その信号を符号化するのに使用されるプロトコルまたはデータ形式のタイプを識別し、信号タイプまたは符号化の変換が必要かどうかを判定するように適応されてもよい。ＤＭＦ１０２が、受け取った信号に含まれるデータを、信号を受け取った形式で利用できない場合は、受け取ったデータの変換が必要であると判定される。この後者の実施形態では、インタフェース回路２０４は、制御回路がデータをＤＭＦ１０２によって使用可能なデータ形式に適切に変換できる処理回路２０６に信号を提供することができる。
【００２６】
処理回路２０６は、ＤＭＦ１０２の動作を制御する。処理回路２０６は、インタフェース回路２０４、ユーザ入力システム２１４および／または任意のセンサ２１６および音声システム２１８から受け取った信号に応じて、インタフェース回路２０４、ローカル・メモリ２０８、ディスプレイ・コントローラ２１０および表示装置２１２に画像を表示させる。処理回路２０６は、プログラム可能な汎用マイクロプロセッサ、専用マイクロプロセッサもしくはマイクロコントローラ、またはＤＭＦ１０２の動作を制御するために使用できる任意の他のシステム等のマイクロプロセッサを含むことができる。
【００２７】
特に、処理回路２０６は、インタフェース回路２０４から受け取ったデータを分析して、データが命令、デジタル画像または他のデータを含むかどうかを判定し、またそのようなデータを処理するための適切なステップを決定するように適応される。処理回路２０６は、編集、圧縮、修正または他の処理を行うように適応されてもよく、またこの点で、そのような用途のためにプログラムされてもよく、あるいはその目的のために信号処理回路等の特定の回路を内蔵してもよい。
【００２８】
デジタル画像は、メタデータと関連付けられてもよい。そのようなメタデータは、一般に、デジタル画像と関連付けられた任意の形態のデータを含むが、これは、必ずしも目で知覚可能な出力の一部として提示されない。たとえば、そのようなメタデータは、デジタル画像を形成するために使用される視覚的コンテンツが取得または生成された時間および／または日付を反映するデータ、そのような取得または生成場所、取得または生成状態、取得または生成装置の識別、撮影者の識別、視覚的コンテンツ・データ・レコードを形成するために使用される視覚的コンテンツのクリエータまたはエディタ、視覚的コンテンツの性質を特徴付ける情報、視覚的コンテンツ・データ・レコードに示された視覚的コンテンツを表すパラメータを判定する際に使用できる情報、視覚的コンテンツ・データ・レコードを提示するための音声データまたはテキスト・データ、および／またはキーワードや他のインデックス情報を含むことができるが、必ずしもこれらに限定されない。
【００２９】
処理回路２０６が、インタフェース回路２０４から受け取ったデータがデジタル画像を含むと判定した場合、処理回路２０６は、デジタル画像を記憶するためにメモリ２６内のロケーションを決定することができ、その結果、必要に応じて、処理回路２０６は、このデジタル画像をリコールすることができる。また、処理回路２０６は、各デジタル画像の補助情報を生成しかつ／または記憶することができる。そのような補助情報は、配色（color assignment）を含むことができる。配色は、画像データの色分布にしたがって、利用可能な色格子から画像色分布を細かく決定することができる。補助情報は、また、ＤＭＦ１０２がデジタル画像を受け取った日時、デジタル画像をＤＭＦ１０２に送信するために使用されたインターネット・ノードを示すインターネット・アドレス、または他のソース識別子情報を含むことができる。補助情報は、また、画像と関連付けられた他のウェブ・サイトへのインターネット・アドレス・リンクを含むことができる。たとえば、リンクされるウェブサイトは、画像が子どもを表す場合、子どもの家族について述べているウェブサイト、あるいは家族または子どもと関連した他の家族、学校、教会等のウェブサイト等の家族または子どもに関連した視覚的コンテンツ・データ・レコードを含むことが分かっているかまたは含む可能性が高いウェブサイトである。また、ＤＭＦ１０２によって決定された画像の向き、トランジション、または他の提示に関連した情報が、補助情報として、処理回路２０６によってデジタル画像と共に記憶されてもよい。
【００３０】
一実施形態では、補助情報は、また、メタデータで提供されるかまたは受け取った視覚的コンテンツ・データ・ファイルと他の方法で関連付けられた音声情報と、ＤＭＦ１０２による視覚的コンテンツ・データ・ファイルの受け取り後に作成されるか視覚的コンテンツ・データ・ファイルと関連付けられた音声情報の両方の編集バージョンを含む音声情報からなることができる。そのような音声情報は、メモリ２０８または他の場所に記憶することができる。どこか他の場所に記憶された場合、音声情報を得ることができるロケーションを示すロケーション情報がデジタル画像と共に記憶される。必要に応じて、ＤＭＦ１０２は、そのような音声情報に基づいて音響信号を生成するように適応されることができかつ／または音響信号を受け取りそのような音響信号を記憶可能なデジタル音声信号に変換することができる音声回路１１８を内臓することができる。
【００３１】
処理回路２０６は、インタフェース回路２０４で受け取るかまたはユーザ入力システム１１４から受け取った信号により、外部装置２０２から制御信号を受け取ることができる。処理回路２０６は、ユーザ入力システム２１４と協力してＤＭＦ２０がユーザと直接対話することを可能にする。ユーザ入力システム２１４は、ユーザから入力を受け取ってその入力をＤＭＦ１０２の操作において処理回路２０６が使用できる信号に変換できる任意の形態のトランスデューサや他の装置を含むことができる。たとえば、ユーザ入力システム２１４は、押しボタン、ダイヤル、回転式コントローラ、タッチ・スクリーン入力、タッチ・パッド入力、４方向スイッチ、６方向スイッチ、８方向スイッチ、スタイラス・システム、トラックボール・システム、ジョイスティック・システム、音声認識システム、身振り認識システム、または他のそのようなシステムを含むことができる。
【００３２】
ユーザ入力システム２１４は、ＤＭＦ１０２に全体または一部分が固定して組み込まれてもよく、あるいはユーザ入力システム３４の幾つかまたは全ての部分が、リモート制御を提供するためにＤＭＦ１０２から分離可能でもよい（後でより詳しく述べるように）。
【００３３】
ユーザ入力システム２１４は、視覚的コンテンツを提示する要望並びにＤＭＦ１０２の操作に有効な他の制御を示すトリガ信号を処理回路２０６に送る活動化ボタンを有することができる。たとえば、ユーザ入力システム２１４は、１人または複数の人が、色相、コントラスト、輝度、音量、コンテンツ・チャネル選択等のシステム調整基本設定を入力できるように適応されてもよい。一実施形態では、ユーザ入力システム２１４は、ＤＭＦ１０２上の画像の提示を管理する方法を決定する際に処理回路２０６を案内する特定の制御をユーザに提供する。処理回路２０６は、ユーザによって行われたユーザ入力操作を特徴付ける信号をユーザ入力システム３６から受け取り、その信号を、要求されたユーザ入力操作と一致するようにＤＭＦ１０２を動作させるように解釈する。たとえば、ユーザが、画像をどのように表示すべきかを示すように意図されたユーザ入力操作を行った場合、ユーザ入力システム２１４は、ユーザ入力信号を生成し、ユーザ入力信号は、処理回路２０６によって受け取られ、画像をどのように表示するかを決定する際に処理回路２０６によって使用される。
【００３４】
メモリ２０８は、たとえば、ダイナミック・ランダム・アクセス・メモリ（「ＤＲＡＭ」）、スタティック・ランダム・アクセス・メモリ（「ＳＲＡＭ」）、読み出し専用メモリ（「ＲＯＭ」）、不揮発性メモリ、磁気ディスク記憶装置、磁気テープ記憶装置、ＣＤ−ＲＯＭ、ＤＶＤ−ＲＯＭ等のうちの１つまたは複数を含むことができるプロセッサ３４（または、１組のメモリ・ブロック）を許容するように提供される。一実施形態では、プロセッサ２０６は、メモリ２０８に記憶されたデータへのアクセスを制御する。メモリ２０８が、インタフェース回路２０４および／またはディスプレイ・コントローラ２１０等の他の回路およびシステムからデータを受け取ることもできることに注意されたい。
【００３５】
ディスプレイ・コントローラ２１０は、表示装置２１２を制御することができる。表示装置２１２は、画像変調光を提供するための任意の既知の装置も含むことができ、また液晶ディスプレイ（「ＬＣＤ」）、陰極線管（「ＣＲＴ」）、プラズマ・ディスプレイ、エレクトロ・ルミネセンス・ディスプレイ、有機発光ダイオード・ディスプレイ、走査型レーザ・ディスプレイまたはシリコン式ディスプレイを含むことができるがこれらに限定されない。示した実施形態では、処理回路２０６は、デジタル画像をディスプレイ・コントローラ２１０に提供するか、またはデジタル画像の関連部分を、ディスプレイ・コントローラ２１０に送られる形に変換し、ディスプレイ・コントローラ２１０は、次にそのような受け取ったデジタル画像を、表示装置２１０に表示させる形式の表示コードに変換する。この点において、表示装置２１４は、画像または他の視覚的コンテンツを含む信号を受け取り、その信号をそのような画像変調光に変換することができるアナログ・テレビ、デジタル・テレビ、コンピュータ・モニタ、投写システム、または他の装置を含むことができる。
【００３６】
これを容易にするために、ディスプレイ・コントローラ２１０は、表示コードを記憶するメモリを含むことができる。変換後、ディスプレイ・コントローラ２１０は、表示コードを表示制御と共に表示装置２１２に転送する。ディスプレイ・コントローラ２１０が、ユーザ入力システム２１４やセンサ２１６等の他のソースから入力信号を受け取ってもよいことに注意されたい。
【００３７】
センサ２１６は、任意選択であり、ＤＭＦ１０２の内部または外部の環境条件を反映する出力を生成できる任意の形態の回路またはシステムを含むことができる。一般に、そのようなセンサは、特定の環境条件にしたがって電気信号または光信号を生成または変調する何らかの形態のトランスデューサを含む。そのようなセンサの例には、従来既知の任意の圧力センサ、近接センサ、距離センサ、単地点または多地点距離計、温度センサ、赤外線センサ、接触センサ等があるがこれらに限定されない。
【００３８】
音声システム２１８は、同様に任意選択であり、処理回路２０６またはメモリ２０８によって提供されるデジタル音声信号を音響信号に変換するための任意の既知のシステムを含むことができる。
【００３９】
さらに、交流電源と直流電源のいずれかまたは両方を含むことができる電力ブロック（図には示されない）がある。一実施形態では、交流電源が切断されたときのメモリ損失を防ぐために、直流バッテリ・バックアップ電源が使用される。そのような交流電源は、たとえば、線路電流から直接電気接続または誘導接続を介して電力を取得し、そのような電力をＤＭＦ２０を動作させるのに有効な形態に変換することができる。そのような直流電源は、変換された交流電力を使用してまたはＤＭＦ１０２に組み込むことができる光電池（図示せず）等の他の形態の電力を使用して充電することができる燃料電池またはバッテリを含むことができる。交流電源の切断時の電力消費を節約しかつ／または交流電源への接続中にバッテリの再充電を管理するために、必要に応じて、低電力管理回路を管理する処理回路２０６を使用することができる。
【００４０】
図３は、インタフェース・ブロック３０１、処理ブロック３１０および表示ブロック３４０を含むＤＭＦ３００の一実施形態の詳細なアーキテクチャを示す。この実施形態では、インタフェース・ブロック３０１は、外部装置（図示せず）から信号を受け取るか、または画像、ビデオまたは音声信号を取得し、次にそのような信号に基づいて演算処理装置３２０に信号を提供する。処理ブロック３１０は、インタフェース・ブロック３０１からデジタル画像を受け取り、インタフェース・ブロック３０１から受け取った信号に基づいて、受け取ったデジタル画像を表示ブロック３４０によって提示させるか、インタフェース・ブロック３０１から受け取った信号またはユーザ入力ユニット３２２から受け取った信号によって示されるような他の動作を行う。
【００４１】
この実施形態では、インタフェース・ブロック３０１は、アナログ入力回路３０２、デジタル入力回路３０４、および無線入力回路３０５を有するように示される。アナログ入力回路３０２は、任意選択であり、たとえば、アナログ・ビデオ・カメラや音源等のアナログ入力装置、アナログ・ビデオ・カメラや音源にＤＭＦ３００を接続することを可能にするコネクタ等を含むことができる。アナログ入力回路３０２は、必要に応じて、任意の適切なインピーダンス・マッチング回路およびバッファ回路を提供することができる。アナログ入力ユニット３０２は、アナログ画像データをアナログ・モジュール３１２に転送し、たとえばアナログ・レシーバ回路（図示せず）と同期回路（図示せず）を含むことができる。そのような実施形態では、アナログ・レシーバ回路は、アナログ入力回路３０２からアナログ信号を受け取り、同期回路は、アナログ−デジタル変換を実行し、次にアナログ入力で受け取った信号を表す変換された画像データ、音声データまたは他のデータを同期させて画像データを生成する。データが受け取られ同期された後で、アナログ・モジュール３１２は、内部バス３１８でデジタル画像データ、音声データまたは他のデータを送る。
【００４２】
デジタル入力ユニット３０４は、デジタル・スチル・カメラ、デジタル・ビデオ・カメラ、またはデジタル音声信号源等のデジタル入力装置でもよく、データ交換のためにそのような装置をＤＭＦ１０２に接続することを可能にするコネクタでもよい。デジタル入力ユニット３０４は、取得した画像、映像、音声または他の情報を表わすデジタル入力ユニット３０４で受け取ったデータにしたがってデジタル画像を生成することができる。デジタル入力ユニット３０４は、さらに、入力３０４で受け取ったデジタル入力からの命令データや他のデータを生成することができる。デジタル画像データまたは命令データを適切に生成した後で、デジタル入力ユニット３０４は、デジタル・データを処理回路２０６またはメモリ・システム３３６に直接または内部バス３１８を介して転送する。
【００４３】
一実施形態では、デジタル・モジュール３１４は、デジタル受信回路と変換回路（図示せず）を含む。一実施形態では、デジタル受信回路は、インタフェース・ブロック３１４からデジタル・データを受け取るためのユニバーサル・シリアル・バス（「ＵＳＢ」）ポートを含むことがある。デジタル・データを受け取った後、変換回路は、データの変換が必要かどうかを判定する。入力データのデータ形式が異種のデータ形式の場合に変換が必要とされる。異種のデータ形式は、ＤＭＦ３００が実施できないタイプのデータ形式またはプロトコルである。一実施形態では、ＤＭＦ３００は、複数の固有データ形式を有し、また複数の異種のデータ形式を認識することができる。その結果、画像データの異種のデータ形式を固有データ形式に変換した後でなければ、表示のために画像データを実施することができない。画像データを適切に受け取り変換した後、デジタル・モジュール３１４は、受け取ったデジタル・データを内部バス３１８で送る。
【００４４】
そのようなデジタル入力３０４の別の例示的実施形態は、Electronic Industry AssociationとTelecommunications Industry Associationによって作成された「Interface Between Data Terminal Equipment and Data Circuit-Termination Equipment Employing Serial Binary Data Interchange」と題するＥＩＡ／ＴＩＡ−２３２−Ｅに準拠するハードウェアおよびプロトコルを使用して通信を可能にするように適応されたものである。このタイプの通信回路の他の例示的実施形態は、ユニバーサル・シリアル・バス規格とＩＥＥＥ１３９４（いわゆる「Ｆｉｒｅｗｉｒｅ」）規格に準拠する回路およびシステムを含む。デジタル入力３０４は、また、他の規格に適合するか独自規格に適合する回路およびシステムを含むことができる。
【００４５】
無線入力回路３０５は、ＤＭＦ２０が無線通信プロトコルを使用して外部装置４０と通信することを可能にする回路およびシステムを含む。たとえば、無線入力回路３０５は、無線モジュール３１５と協力して、ＩＥＥＥ（Institute of Electrical and Electronic Engineer）規格８０２．１１ａ、８０２．１１ｂ、１０２．１１ｇおよび８０２．１１ｎで定められ記述されたいわゆる「Ｗｉ−Ｆｉ」規格、Bluetooth Special Interest Group（Bellevue, Washington, U.S.A）によって２００３年１１月に採用されたバージョン１．２を含むいわゆる「Ｂｌｕｅｔｏｏｔｈ」無線規格、ＩＥＥＥ、Ｂｌｕｅｔｏｏｔｈ  ＳＩＧまたはこの分野の他のものによって開発された同じかまたは任意の他の無線通信規格によって２００４年１１月に採用されたバージョン２．０＋ＥＤＲ（Enhanced Data Rate）に適合するように通信する回路およびシステムを提供することができる。
【００４６】
別の例では、無線通信回路３０５と無線モジュール３１５は、デジタル・データを赤外線光信号に変換することによって通信するか、赤外線通信協会（Infrared Data Association）（IrDA)によって確立されたプロトコルにしたがってそのような変換を実行する赤外線技術を使用して赤外線光学信号をデジタル・データに変換するように適応されてもよい。そのようなプロトコルは、シリアル赤外線プロトコル（ＳＩＲ）やＩｒＤＡによって開発された他のプロトコルを含むがこれらに限定されない。
【００４７】
図３の実施形態に示したように、メモリ３２６は、様々な形態のうちのどの形態をとることもでき、この実施形態では、ＤＲＡＭ３３０、不揮発性メモリ３３２、読み出し専用メモリ３３４、および光ディスク媒体、フラッシュ・メモリカードまたはジャンプ・ドライブ等の取り外し可能なメモリを収容するように適応された取り外し式メモリ・インタフェース３３６を含む。
【００４８】
さらに図３に示したように、内部バス３１８は、アナログ・モジュール３１２、デジタル・モジュール３１３、無線モジュール３１５、ユーザ入力システム３６、処理回路２０６、メモリ３２６、およびディスプレイ・コントローラ３４２を相互接続するために使用される。
【００４９】
前に詳しく述べたように、処理回路２０６は、一般に、画像サイズ・スケーリング、色空間変換、画像フィルタリング、画像復号化、画像データ圧縮／解凍等を含む機能の実行を含むことができるＤＭＦ３００の動作を制御する。一実施形態では、演算処理装置３２０は、バス・ビジー信号とバス許可信号の発行等、内部バス３１８を制御するために使用される。演算処理装置３２０は、さらに、様々な制御信号を伝えるメモリ制御バス３３６を制御することによってメモリ３２６へのアクセスを制御するように構成されてもよい。別の実施形態では、演算処理装置３２０は、バス許可信号やバス・ビジー信号等の制御信号を発行するために内部バス３１８を使用してメモリ３２６へのアクセスを制御することができる。
【００５０】
他のタイプのバス接続とバス制御が可能であることに注意されたい。たとえば、一実施形態では、演算処理装置３２０は、内部バス３１８と制御バス３３６を制御することができる。制御バス３３６は制御信号に使用され、内部バス３１８はデータに使用される。内部バス３１８と制御バス３３６を単一バスに合併できることに注意されたい。別の実施形態では、内部バス３１８は、バス・アクセスを制御するために従来のバス・コントローラ（図示せず）を含む。
【００５１】
処理回路２０６は、画像、一連の画像シーケンス、ビデオ・ストリームおよび他の視覚的コンテンツを表示ユニット３５０上に提示する方式を決定するように構成される。これは、たとえば、視覚的コンテンツを提示する時間間隔や、画像間の時間トランジション・タイプの決定を含むことがある。間隔トランジション時間は、現在の画像と次に表示される画像の時間間隔を示す。画像トランジションは、現在の画像の提示を後退させながら次の画像を整合させるメカニズムである。一実施形態では、画像トランジションは、現在の画像が退出しながら次の画像が入るように現在の画像と次の画像を一方向に移動させる。
【００５２】
別の実施形態では、処理回路３２０は、視覚的コンテンツ・データ・レコードの色属性にしたがって、利用可能な色格子から画像色を細かく決定することができる。この実施形態では、処理回路３２０は、さらに、各画像ごとの補助情報を生成し、補助情報は、配色、画像データが生成され受け取った日時、インターネット・アドレス、音声情報、画像の向き等を含むことができる。
【００５３】
ユーザ入力ユニット３２２は、ユーザ入力動作を、行われるユーザ入力操作を示しかつ演算処理装置３２０によって使用できる信号に変換することができる任意の既知の入力装置を含むことができる。ユーザ入力ユニット３３２は、押しボタン・スイッチ、タッチスクリーン入力装置、遠隔制御装置、または音声作動式入力装置（音声認識入出力装置）等の装置を含むことができる。一実施形態では、ユーザ入力ユニット３２２は、早送り機能、逆戻し機能、休止機能等の表示制御をユーザに提供する。早送り機能は、ユーザが次の画像を見ることを可能にし、逆戻り機能は、ユーザが前の画像を見ることを可能にする。
【００５４】
センサ３２４は、任意選択であり、ＤＭＦ１０２の内側と外側の環境条件を反映する出力を生成することができる任意の形態の回路またはシステムを含むことができる。一般に、そのようなセンサは、特定の環境条件に応じて電気信号または光学信号を生成または変調する何らかの形態のトランスデューサを含む。そのようなセンサの例には、従来既知の任意の光センサ、圧力センサ、近接センサ、距離センサ、単地点または多地点距離計、温度センサ、赤外線センサ、接触センサ等があるがこれらに限定されない。センサ３２４からの信号は、演算処理装置３２０への入力として使用されてもよく、この入力から、演算処理装置３２０は、画像をいつ、どこに、どのように提示するかを決定することができる。たとえば、光センサからの信号を使用して画像の輝度およびコントラスト特性を決定することができ、距離計からの信号を使用して、画像提示を見る人がいるかどうか判定し、またそのような人のＤＭＦに対する相対位置を決定することができ、これらは、デジタル画像、フォント・サイズ、線の太さ等の選択に影響を及ぼすことがある。
【００５５】
さらに別の実施形態では、処理回路３２０は、外部装置１００から、デジタル画像を表示する所定のシーケンスを識別する命令データを受け取ることができ、そのような命令を受け取った場合、処理回路３２０は、デジタル画像を所定のシーケンスで提示することができる。さらに、表示される一連のデジタル画像のシーケンスは、ユーザ入力ユニット３３２からの一時停止信号等のユーザからの制御信号によって変更されてもよい。
【００５６】
一実施形態では、表示される画像のシーケンスは、画像データがメモリに記憶される場所の関数である。この実施形態では、画像表示ブロック３４０は、所定の物理的記憶場所から次の画像データを取り出す。別の実施形態では、表示される画像のシーケンスは、処理回路２０６によって並び替えられてもよい。さらに別の実施形態では、シーケンスは、さらに、ユーザ入力ユニット３３２を使用してユーザによって変更されてもよい。
【００５７】
さらに別の実施形態では、処理回路３２０は、外部装置１００から、デジタル画像を表示する所定のシーケンスを識別する命令データを受け取ることができ、そのような命令を受け取った場合、処理回路３２０は、デジタル画像を所定のシーケンスで提示することができる。さらに、表示されるデジタル画像のシーケンスは、ユーザ入力ユニット３３２からの一時停止信号等のユーザからの制御信号によって変更されてもよい。
【００５８】
一実施形態では、表示される画像のシーケンスは、画像データがメモリに記憶される場所の関数である。この実施形態では、画像表示ブロック３４０は、所定の物理的記憶場所から次の画像データを取り出す。別の実施形態では、表示される画像のシーケンスは、処理回路２０６によって並べ替えられてもよい。さらに別の実施形態では、シーケンスは、さらに、ユーザ入力ユニット３３２を使用してユーザによって変更されてもよい。
【００５９】
提示されるデジタル画像が、適切に識別され順序付けられたとき、処理回路３２０は、デジタル画像を任意の関連メタデータまたは任意の補助情報と共に内部バス３１８で画像表示ブロック３４０に送る。一実施形態では、処理回路３２０は、表示画像を生成する際に使用されるメモリ３２６からデジタル画像を転送するために、処理回路３２０とディスプレイ・コントローラ３４２間で専用バス（図示せず）を使用する。視覚的コンテンツ・データ・レコードを受け取ると、ディスプレイ・コントローラ３４２は、デジタル画像と必要に応じて補助情報に基づいて画像を表示する準備をし、画像を画像表示ブロック３４０に送らせる。
【００６０】
画像表示ブロック３４０は、ディスプレイ・コントローラ３４２、表示ユニット３５０、任意選択の表示メモリ・バッファ３４４、および任意選択の音声回路３７０を含む。一実施形態では、表示ユニット３５０はＬＣＤである。しかしながら、表示ユニット３５０は、画像変調光を提供することができる他の既知の任意の装置の形態をとることができる。画像データを受け取った後で、ディスプレイ・コントローラ３４２は、画像データにしたがって画像表示コードを生成する。必要に応じて、選択された表示コードは、画像データのソースであるデジタル画像と関連付けられたメタデータまたは補助情報に少なくとも部分的に基づいてもよい。次に、表示ユニット３５０は、ディスプレイ・コントローラ３４２から画像の表示コードを受け取り、画像を表示する。一実施形態では、ディスプレイ・コントローラ３４２は、メモリ・バッファ３４４に１組の表示コードを記憶する。別の実施形態では、ディスプレイ・コントローラ３４２は、表示コードを不揮発性メモリ３３２またはＤＲＡＭ３３０に記憶する。
【００６１】
音声システム３５２は、同様に任意選択であり、演算処理装置３２０またはメモリ３２６によって提供されるデジタル音声信号を音響信号に変換するための任意の既知のシステムを含むことができる。
【００６２】
ディスプレイ・コントローラ３４２は、表示装置３０に一体化されてもよく処理回路２０６に一体化されてもよいことに注意されたい。また、ＤＭＦ３００の構成要素はどれも単一集積回路（「ＩＣ」）に組み込まれてもよくまたは他の方法で一体プラットホーム上に提供されてもよいことを理解されよう。
【００６３】
図４を参照すると、ＤＭＦ４００の一実施形態の外観図が示される。図４に示したように、ＤＭＦ４００は、開口部を有し、開口部は、表示装置４０２からの画像変調光が外側面４０１から出ることを可能にしかつユーザ入力システム４１０へのアクセスを可能にし、この実施形態では、ユーザ入力システム４１０は、逆戻しボタン４２０、一時停止ボタン４２２および早送りボタン４２４を提供する。逆戻しボタン４２０は、ユーザが前に表示された画像を見ることを可能にし、早送りボタン４２４は、ユーザが次の順番の画像を見ることを可能にする。一時停止ボタン４２２は、一時停止ボタン４２２が次に押されて解除コマンドが出されるまで現在表示している画像を静止させる。別の実施形態では、ユーザ入力システム４１０は、表示装置４０２と合併されてもよく、従来のタッチ・スクリーン入力装置を介して入力を行うことができる。さらに別の実施形態では、入力は、音声認識入出力装置等の従来の音声作動式入力装置によって行われてもよい。さらに別の実施形態では、入力は、従来のポート接続を使用してコンピュータから来る。
【００６４】
図５は、ＤＭＦ４００内のデータ・フローを示すフローチャートである。ブロック５０１で、画像表示プロセスが始まる。このプロセスは、ブロック５０２に進み、ＤＭＦ４００のインタフェース・ユニットが、ＤＭＦ上に提示するためのデジタル画像と、所定のシーケンスの画像等のデジタル画像を提示するための命令を受け取る。前述のように、画像データは、デジタルカメラやビデオカメラ等の画像取得装置によって取得されてもよい。デジタル画像を受け取ると、インタフェース・ユニット３０１は、デジタル画像が、デジタル・データ形式の画像データを有するかアナログ・データ形式の画像データを有するかどうかを識別する。画像データがアナログ・データ形式の場合、インタフェース・ユニットは、アナログ・データ形式をデジタル・データ形式に変換する。画像データがデジタル・データ形式の場合は、アナログからデジタルへの変換（「Ａ／Ｄ」）は不要である。
【００６５】
ブロック５０２の後、プロセスはブロック５０４に進み、デジタル画像が、所定のシーケンスまたは特別な順序の画像シーケンスでソートされる。提示シーケンスの決定は様々な方法で行うことができ、詳細には、デジタル画像は、デジタル画像が受け取った順に連続的に取り出され提示される先入れ先出しバッファに記憶されてもよい。別の手法では、デジタル画像は、デジタル画像を提示するために好ましいシーケンスを識別するデータと共に受け取られる。さらに別の手法では、デジタル画像は、画像を提示するためのタイミングを決定するために使用できるタイミング信号と関連付けられてもよい。タイミング信号は、たとえば、デジタル画像の提示中に提示される単純なクロック信号またはビデオまたは音声情報の連続ストリームを含むことができる。デジタル画像は、ビデオまたは音声情報の連続提示に対して特定の時間で提示されるようにタイミング信号と関連付けられる。この手法では、デジタル画像のシーケンスは、タイミング信号に従う。後で詳しく説明するように、他の手法を使用することができる。
【００６６】
次のブロックに進む前に、プロセスは、変換が必要かどうか判定する。画像データのデータ形式が異種のデータ形式であるとＤＭＦ４００が識別した場合に変換が必要とされる。その結果、異種のデータ形式をＤＭＦ固有のデータ形式に変換した後でなければ画像データをさらに処理することができない。画像データが適切にソートされ変換された後で、プロセスは次のブロックに進む。
【００６７】
プロセスは、ブロック５０４からブロック５０６に進み、画像データが、メモリに記憶される。一実施形態では、記憶された画像データの場所は、表示される画像のシーケンスを決定する。ブロック５０６の後で、プロセスはブロック５０８に進み、画像データが表示コードに変換される。一実施形態では、ブロック５０８は、間隔トランジション時間と様々なタイプの画像トランジションを決定する。間隔トランジション時間は、現在の画像と次に表示される画像の間の時間間隔を示す。画像トランジションは、現在の画像を後退させながら次の画像を整合させるメカニズムである。一実施形態では、画像トランジションは、現在の画像が退出しながら次の画像が入るように現在の画像と次の画像を一方向に移動させる。別の実施形態では、画像トランジションは、現在の画像をフェードアウトしながら次の画像をフェードインする。ブロック５０８の後で、プロセスはブロック５１０に進み、画像が、補助情報と共に画像データにしたがって表示される。プロセスはブロック５１２で終わる。
【００６８】
図６は、ＤＭＦ６００の制御データ・フローの一実施形態を示すフローチャートである。画像表示のプロセスは、ブロック６０２から始まる。プロセスは、ブロック６０２からブロック６０４に進み、ＤＭＦのインタフェース・ユニットが、提示されるデジタル画像を表す画像データを受け取り、この画像データは、デジタルカメラやビデオカメラ等の画像取得装置によって取得されてもよい。画像データを受け取ると、プロセスはブロック６０６に進み、プロセスは、画像データがアナログ・データ形式かデジタル・データ形式かを識別する。画像データがアナログ・データ形式の場合、プロセスは、ブロック６０６からブロック６０８に進む。ブロック６０８で、プロセスは、アナログ・データ形式をデジタル・データ形式に変換する。変換後に、プロセスは、ブロック６０８からブロック６１４に進み、画像データが記憶される。
【００６９】
画像データがアナログ・データ形式ではない場合は、画像データがデジタル・データ形式であることを示し、プロセスは、ブロック６０６からブロック６１０に進む。ブロック６１０で、プロセスは、デジタル画像データをＤＭＦが認識可能なデジタル・データ形式に変換しなければならないかどうかを識別する。画像データのデジタル・データ形式が認識可能な場合、プロセスは、ブロック６１０からブロック６１４に進む。
【００７０】
画像データが異種のデータ形式の場合、プロセスはブロック６１０からブロック６１２に進み、変換が実行される。ブロック６１２で、異種のデータ形式の入力画像データが、ＤＭＦ固有のデータ形式に変換される。一実施形態では、ＤＭＦは、変換の頻度を少なくする幾つかの固有データ形式を有することがある。別の実施形態では、ＤＭＦは、複数の異種のデータ形式を識別することができる。変換後に、プロセスは、ブロック６１２からブロック６１４に進み、画像データが記憶される。
【００７１】
一実施形態では、画像データは、電源の切断時のデータ損失を防ぐためにフラッシュ・メモリ等の不揮発性メモリ装置に記憶される。別の実施形態では、電源切断時のデータ損失を防ぐために、携帯型バッテリ電源が使用される。さらに別の実施形態では、画像データは、メモリ損失を防ぐために、磁気ディスク記憶装置や磁気テープ記憶装置等の磁気記憶装置に記憶される。ブロック６１４の後で、プロセスは、ブロック６１８に進み、各画像に補助データが添付される。
【００７２】
ブロック６１８で、プロセスは、画像を位置合わせし、各画像に補助情報を添付する。一実施形態では、画像の位置合わせは、画像データが記憶される記憶場所の順序にしたがって連続的なものでもよい。別の実施形態では、画像の位置合わせは、事前に定義される。補助情報は、配色、画像が生成された日時、インターネット・アドレスの情報、音声、画像の向きなどがある。
【００７３】
補助情報を添付した後で、プロセスはブロック６１８からブロック６１６に進み、画像データは添付された補助情報と共にメモリ・バッファに記憶される。メモリ・バッファは、画像を表示するために高速メモリ・アクセスを提供する小型高速メモリ装置である。一実施形態では、メモリ・バッファは、電力切断時のメモリ損失を防ぐ不揮発性メモリ装置である。別の実施形態では、メモリ・バッファは、メモリ損失を防ぐためにバックアップ・携帯電源を備えた通常のランダム・アクセス・メモリである。ブロック６１６の後で、プロセスは、ブロック６２０に進み、表示するためにメモリ・バッファからの出力を選択することができる。
【００７４】
ブロック６２０で、プロセスは、さらに、ブロック６２４とブロック６２２から信号を受け取る。ブロック６２４は、ユーザからの入力制御信号を含み、ブロック６２２は、最後に表示された画像の画像データを含む。プロセスは、ブロック６２４で、ユーザ入力を受け取り、このユーザ入力は、現在画像を一時停止することを指示する場合がある。別の実施形態では、ユーザ入力は、次の画像を選択するための多数の組み合わせ論理入力のうちの１つとして使用される。
【００７５】
画像データを選択する際、プロセスは、ブロック６２０からブロック６３０に進み、画像が表示される。現在画像が表示されるとき、プロセスはブロック６３０からブロック６２２に進み、現在画像が記憶される。一実施形態では、ブロック６２２は、最後に表示された画像である１つの画像だけの画像データを記憶する。別の実施形態では、ブロック６２２は、最近表示された１組の画像の画像データを記憶する。
【００７６】
一実施形態では、ＤＭＦは、画像モードと情報モードを有する。ＤＭＦの画像モードは、一連の所定の写真を表示し、ＤＭＰの情報モードは、ニュース、財務データ、広告等の１組の情報またはデータを表示する。ＤＭＦが画面の一部分を画像表示に割り当てる一方で画面の別の部分を情報表示に割り当てる、画像と情報を組み合わせた第３のモードが構成されてもよい。他のタイプの表示モードがあってもよいが、そのような表示モードは本発明を理解するのに重要ではないことに注意されたい。
【００７７】
前に述べたように、ＤＭＦは、インターネット等のネットワークを介して情報を送受信することができる。また、インターネットを介して利用可能な様々なカテゴリの情報はＤＭＦも利用可能である。したがって、一実施形態では、ＤＭＦは、情報モードにあるときに幾つかのカテゴリの情報を表示することができる。たとえば、そのようなカテゴリは、ニュース、スポーツ、娯楽、財務データ等を含むことができる。しかしながら、情報モードで複数のカテゴリの情報を表示するために、ＤＭＦは、複数組の情報を処理するようにセットアップされるか構成されなければならない。一実施形態では、ＤＭＦの情報モードは、後でより詳細に説明するように、ＤＭＦサーバを介して構成される。
【００７８】
図７は、ネットワーク構成７００の一実施形態を示す。構成７００は、ＤＭＦ７０１、ＰＣ７１２、ＰＣ７０８、ＤＭＦ７１４、エンティティ７１６、ＤＭＦサーバ７２０、およびインターネット７１８を含む。インターネット７１８を介した装置の通信を実現するために、ケーブル７３０〜７３８等の様々な従来の接続ケーブルが使用される。ＤＭＦ７０１は、さらに、ディスプレイ７０２、台７０４、およびネットワーク通信装置７１０を含む。ディスプレイ７０２と台７０４は、接続装置７０３を使って接続される。一実施形態では、接続装置７０３は、ケーブルである。別の実施形態では、接続装置７０３は、従来の無線接続装置である。さらに、台７０４は、情報を受け取りその情報を他の装置に送信するために使用されるインタフェース回路７０６を含む。
【００７９】
ネットワーク通信装置７１０は、セル式モデム等のモデムまたは無線モデムでよい。一実施形態では、ネットワーク通信装置７１０は、ポケットベル型の片方向通信装置等の片方向伝送装置である。別の実施形態では、ネットワーク通信装置７１０は、装置間の対話式通信を容易にすることができる双方向通信装置である。一実施形態では、ＤＭＦ７０１は、セル式モデムを使用してＰＣ７１２、ＤＭＦ７１４およびエンティティ７１６またはＤＭＦサーバ７２０と通信する。
【００８０】
ＰＣ７１２は、たとえば、パーソナル・コンピュータであり、インターネット７１８を介してＤＭＦ７０１と通信することができる。ＤＭＦ７１４は、インターネット７１８を介してＤＭＦ７０１に直接通信することができる別のデジタル・メディア・フレームである。たとえば、ＤＭＦ７１４は、１組の画像をＤＭＦ７０１に送信するためのネットワーク伝達手段としてインターネット７１８を使用する。さらに、エンティティ７１６は、複数のＤＭＦおよびＰＣを含むことがある団体または一群の装置でよい。一実施形態では、ＤＭＦ７０１は、ネットワークに接続された任意の装置にアクセスすることができる。
【００８１】
ＤＭＦサーバ７２０は、ネットワークに接続されたＤＭＦ装置にＤＭＦネットワーク・サービスを提供するネットワーク・サーバである。装置間のネットワーキングを提供するインターネット７１８を使用することから、装置を相互接続するために電気通信、クローズ型、専用または独自ネットワーク・ソリューションを使用して図７のシステムを実現できることが理解されよう。
【００８２】
一実施形態では、ＤＭＦサーバは、システム７２２とユーザ・プロファイル・データベース７２４を含む。ＤＭＦネットワーク・サービスは、ＤＭＦを構成するために使用することができるユーザおよびデータ・サービスを提供する。一実施形態では、ＤＭＦネットワーク・サービスは、ユーザがＤＭＦネットワーク・サービスを構成または利用することを可能にするＤＭＦウェブページを提供する。この実施形態では、ＤＭＦウェブページは、ユーザが利用申し込みできる複数カテゴリの画像をリストする。代替として、ＤＭＦウェブページは、複数の商業的に利用可能なウェブサイトをリストすることもでき、ユーザは、リストされたウェブサイトを選択して自分のＤＭＦを見ることができる。商業的に利用可能なウェブサイトは、株式市場ニュース、スポーツおよび天候チャネルを含んでもよいがこれらに限定されない。ユーザが、リストされたカテゴリまたはウェブサイトを選択した後で、ＤＭＦネットワーク・サービスは、ユーザ・プロファイルを作成し、選択されたカテゴリまたはウェブサイトをユーザ・プロファイルに記憶する。また、ユーザ・プロファイルを使用して、家族の生活の様々な出来事の重要な日付の使用、並びに家族間の関係の概略、顔認識のための顔への名前の割り当て、場所のＧＰＳ情報への割り当てなどによって、コンテンツ・コレクションを特徴付けすることができる。ユーザ・プロファイルは、後で、対応するＤＭＦのためのデフォルト構成として使用されてもよい。
【００８３】
ＤＭＦネットワーク・サービスは、一実施形態では、ユーザ・プロファイル・データベース７２４を維持する役割をもつ。この実施形態では、ユーザ・プロファイル・データベース７２４は、ＤＭＦサーバ７２０上にある。ＤＭＦネットワーク・サービスがネットワークを介してネットワーク・サーバにアクセスできる限りユーザ・プロファイル・データベース７２４を他のネットワーク・サーバ上に配置できることに注意されたい。ユーザ・プロファイル・データベース７２４は、ＤＭＦサーバ・ウェブサイトに直接アクセスすることができるＤＭＦ７１０、ＰＣ７１２または他の装置を使用して改良することができる。ユーザは、また、ＤＭＦネットワーク・サービス提供者に電話して、ＤＭＦネットワーク・サービス代表者に新しいユーザＤＭＦ構成を口頭で伝えることができる。ＤＭＦネットワーク・サービスへのアクセスに関するより詳細な説明は後で行う。
【００８４】
ＤＭＦを構成する他の方法が可能である。たとえば、ＤＭＦ７０１は、ＰＣ７０８またはＰＣ７１２によって構成されてもよい。また、ＤＭＦ７０１は、ＤＭＦ７０１自体を構成することを可能にする構成ソフトウェアを含んでもよい。ＤＭＦ７０１を構成する他の方法が可能であるが、そのような方法は、本発明を理解するのに必要ではないことに注意されたい。
【００８５】
図８は、ＤＭＦ構造８００の一実施形態を示す。ＤＭＦ８０２は、情報モード８０４とピクチャ・モード８５０を有する。情報モード８０４は、株式取引ニュース等の情報のデータを表示する。ピクチャ・モード８５０は、以前に受け取ってメモリに記憶された一連の画像を表示する。
【００８６】
情報モード８０４は、さらに、図形表現部分８０６とテキスト表現部分８０８を含む。図形表現部分８０６が、画像を表示し、テキスト表現部分８０８が、テキストまたは文字を表示する。図形表現部分８０６は、さらに、写真部分８１０とビデオ部分８１２に分けられてもよい。写真部分８１０は静止写真画像を含み、ビデオ部分８１２は動画を含む。写真部分８１０は、さらに、個人ブロック８１４と公開ブロック８１６に分けられてもよい。個人ブロック８１４は、個人の写真を参照し、たとえば、個人が、個人使用のための写真を作成する。
【００８７】
ビデオ・ブロック８１２は、ニュース部分８１８と広告部分８２０に分けられてもよい。ニュース部分８１８は、取材記者からのビデオ・テープの一部分等の映画を指す。広告部分８２０は、対話型の商用広告でもよいマーケティングを指す。
【００８８】
テキスト表現部分８０８は、広告部分８２２と情報部分８３０を含む。広告部分８２２は、商業マーケティングを指し、情報部分８３０は、天候や株式取引ニュース等の有用な情報を示す。広告部分８２２は、さらに、標準セクション８２４と対話セクション８２６に分けられる。標準セクション８２４は、単語とテキストを使用するコマーシャル・メッセージを指す。対話セクション８２６は、オン・ライン賭博等のテキストを対話式に使用するコマーシャル・メッセージを指す。
【００８９】
情報部分８３０は、さらに、株式セクション８３２、ニュース・セクション８３４、およびショッピング・セクション８３６を含む。一実施形態では、株式セクション８３２は、テキストを使用する株式取引ニュースを指し、ショッピング・セクション８３６は、テキスト表現を使用するオンライン・ショッピングを指す。ニュース・セクション８３４は、さらに、天候チャネル８３８およびニュース概要チャネルまたはヘッドライン・ニュース８４０に分けることができる。天候チャネル８３８は、テキストを使用する天気予報を指し、ニュース概要チャネル８４０はニュースを要約する。情報フレーム８０４とピクチャ・フレーム８５０の任意の部分を重ね合わせて、情報とピクチャの組み合わせとして見えるフレームを生成できることを理解されたい。他のカテゴリまたは部分が可能であるが、本発明を理解するのに必要ではないことを理解されたい。
【００９０】
図９は、画像を表示する複数のモードの一実施形態を示すフローチャート９００である。ブロック９０２は、表示シーケンスをデータ・モードに設定するステップを示す。ブロック９０４で、プロセスは、ピクチャ信号がアクティブかどうかを判定する。ピクチャ信号がアクティブの場合は、ピクチャ・モードが設定されるべきであることを示し、ブロック９０６でピクチャ・モードが設定される。ブロック９０８で、プロセスは、表示モードにしたがって画像を表示する。ブロック９０８の後、プロセスは終了する。
【００９１】
図１０は、ＤＭＦネットワーク・サービスにアクセスする複数の方式を示す機構１０００の一実施形態を示す。機構１０００は、ＰＣ１０５０、ＤＭＦ１０５２、電話１０５４、サーバ１０６０、サーバ１０６２およびＤＭＦネットワーク・サーバ（「ＤＮＳ」）１０５９を含み、これら全ての装置は、インターネット１０５６によって相互接続される。ＤＮＳ１０５９は、データ・インプリメンテーションを提供するＤＭＦネットワーク・サービス１０５８を支援する。一実施形態では、ＤＭＦネットワーク・サービス１０５８は、ＤＮＳ１０５９に物理的に配置されたユーザ・プロファイル・データベース、サーバ１０６０、またはサーバ１０６２を含む。ユーザ・プロファイルにアクセスするために、ユーザは、ＰＣ１０５０、ＤＭＦ１０５２または電話１０５４を使用して、ＤＭＦネットワーク・サービス１０５８を介してユーザ・プロファイルにアクセスすることができる。
【００９２】
一実施形態では、ユーザは、電話１０５４を使用してＤＭＦネットワーク・サービス１０５８を開始することができる。ＤＭＦネットワーク・サービス１０５８が開始された後で、ユーザは、ＤＭＦの再構成等のサービスを利用することができる。たとえば、ＤＭＦ１０５２の再構成が必要なとき、ＤＭＦネットワーク・サービス１０５８は、ＤＭＦウェブページを提供し、ユーザが、ＤＭＦウェブページからオプションを選択してＤＭＦ１０５２を構成することができる。ＤＭＦ１０５２とＤＭＦネットワーク・サービス１０５８間の通信がインターネット１０５６を介して実行されることに注意されたい。
【００９３】
別の実施形態では、ＤＭＦ１０５２からのＤＭＦネットワーク・サービス１０５８の要求を直接接続によって開始することができる。直接接続は、ＤＮＳ１０５９とＤＭＦ１０５２間で直接接続されたケーブルまたはモデムである。インターネット１０５６は、ＤＮＳ１０５９とＤＭＦ１０５２間の代替接続でもよい。
【００９４】
ＰＣ１０５０を使用して、ＤＭＦ１０５２にＤＭＦネットワーク・サービス１０５８を要求することもできる。一実施形態では、ＤＭＦネットワーク・サービス１０５８は、要求を受け取った後、ＤＭＦ１０５２にサービスを直接提供する。別の実施形態では、ＤＭＦネットワーク・サービス１０５８は、ＰＣ１０５０を介してＤＭＦ１０５２にサービスを提供する。ＤＭＦネットワーク・サービス１０５８を要求する他の方法が可能であるが、それらの方法は本発明の理解に必要ではないことに注意されたい。
【００９５】
図１１は、様々な装置からデータを受け取る一実施形態を示すフローチャート１１００である。このプロセスは、開始ブロックから始まりブロック１００２に進み、プロセスはデータを受け取る。ブロック１００４で、プロセスは、データがカメラから来るかどうかを調べる。ブロック１００４が偽の場合、プロセスはブロック１００８に進む。一方、ブロック１００４が真の場合は、データがカメラから来ることを示し、プロセスは、ブロック１００６で、カメラ・インタフェース・プログラムを使用してデータを受け取る。カメラ・インタフェース・プログラムは、カメラからコードを送るために使用されるプロトコルのタイプを識別し、必要に応じてコードを固有言語に変換することを含むが、これらに限定されない。
【００９６】
ブロック１００８で、プロセスは、データがＰＣから来るかどうかを調べる。ブロック１００８が偽の場合、プロセスはブロック１００２に進む。一方、ブロック１００８が真の場合は、データがＰＣから来ることを示し、プロセスはブロック１００８からブロック１０１０に進み、データを受け取る。ブロック１０１２で、プロセスは、データがインターネット・コネクタから来るかどうかを調べる。ブロック１０１２が偽の場合、プロセスは終了ブロックにループし、プロセスは終了する。
【００９７】
一方、ブロック１０１２が真の場合は、データがインターネット・コネクタから来ることを示し、プロセスはブロック１０１４に進み、プロセスは、通信が双方向通信かどうかを調べる。双方向通信である場合、対話型通信が可能である。ブロック１０１４が偽の場合は、通信が片方向であることを示し、プロセスはブロック１０１８に進み、データを受け取るためにＤＭＦ片方向手順が呼び出される。たとえば、ページャ型通信方式は、通常タイプの片方向通信装置であり、対話型通信は許可されない。ブロック１０１８の後で、プロセスは終了ブロックに進み、プロセスは終了する。
【００９８】
一方、ブロック１０１４が真の場合は、通信が双方向または複数方向の通信であることを示し、プロセスはブロック１０１６に進み、プロセスは、ＤＭＦ双方向対話式プログラムを呼び出してデータを処理する。ブロック１０１６の後で、プロセスは終了ブロックに進み、プロセスは終了する。
【００９９】
図１２は、ＤＭＦの様々なモードの一実施形態を示すフローチャート１２００である。フローチャート１２００は、登録モード、メニュー変更モード、および実行モードを示す。プロセスは、開始ブロックで始まり、ブロック１２１２に進んで登録モードかどうかを調べる。ブロック１２１２が真の場合は、登録モードであることを示し、プロセスはブロック１２１２からブロック１２１４に進み、プロセスは、ユーザ・プロファイルを作成する。ブロック１２０４の後で、プロセスはブロック１２０６に進み、プロセスは、メニューをセットアップし、メニューを対応するユーザ・プロファイルに記憶する。ブロック１２０６の後でプロセスは終了する。
【０１００】
ブロック１２０２が偽の場合は、登録モードではないことを示し、プロセスはブロック１２０２からブロック１２０８に進む。ブロック１２０８で、プロセスは、メニュー変更モードかどうかを調べる。ＤＭＦは、情報モードでＤＭＦが使用されて情報が表示されるときにＤＭＦを構成するために使用されるメニューを含む。ブロック１２０８が真の場合は、メニュー変更モードであることを示し、プロセスは、ブロック１２１０に進んでメニューが更新される。
【０１０１】
ブロック１２０８が偽の場合、プロセスはブロック１２１２に進み、実行モードかどうかを調べる。実行モードで、ＤＭＦは、対応するユーザ・プロファイルからメニューを取り出し、メニューにしたがって表示画面を構成する。ブロック１２１２が真の場合は、実行モードであることを示し、プロセスはブロック１２１４に進む。ブロック１２１４で、プロセスは、対応するユーザ・プロファイルからメニューを取り出す。ブロック１２１６で、ＤＭＦの情報モードが、メニューにしたがってセットアップされる。ブロック１２１６の後でプロセスは終了する。ブロック１２１２が偽の場合、プロセスは終了ブロックに進み、プロセスは終了する。フローチャート１２００が４つ以上のモードを含んでもよいことに注意されたい。
【０１０２】
図１３は、データ・インプリメンテーション用のＤＭＦウィンドウの一実施形態を示すフローチャート１３００である。一実施形態では、ＤＭＦネットワーク・サービス１０５８は、ＤＭＦウィンドウを使用してユーザ・プロファイル・データベースを管理する。プロセスは、開始ブロックから始まり、ブロック１３０２に進む。ブロック１３０２で、プロセスはＤＭＦウィンドウを開始する。ブロック１３０４で、ＤＭＦウィンドウは、識別された画面の一部分をＤＭＦストレージとして割り当て、アイコンまたはサムネイルを使用してＤＭＦストレージ下でＤＭＦに記憶された画像ファイルをリストする。サムネイルは、画像を表わす小型化された絵である。ブロック１３０６で、ＤＭＦウィンドウは、さらに、識別された画面の別の部分をアイコンまたはサムネイルを使用して様々な画像ファイルをリストするグローバル・ストレージとして割り当てる。一実施形態では、ＤＭＦは、グローバル・ストレージ下にリストされた画像ファイルを利用可能である。
【０１０３】
ブロック１３０８で、ＤＭＦウィンドウは、対応するアイコンまたはサムネイルをグローバル・ストレージ（画面のひとつの部分）からＤＭＦストレージ（画面の別の部分）に移動させることによってユーザが画像をＤＭＦに追加することを可能にする。たとえば、ユーザは、アイコンをクリックし、そのアイコンをグローバル・ストレージとして識別された画面の部分からＤＭＦストレージとして識別された画面の部分までドラッグすることができる。ブロック１３１０で、ＤＭＦウィンドウにより、ユーザは、ＤＭＦストレージから対応するアイコンまたはサムネイルを取り出すことによってＤＭＦから画像を削除することができる。たとえば、ユーザが、削除する画像を表わすサムネイルをクリックし、そのサムネイルをごみ箱にドラッグすることができる。
【０１０４】
複数のＤＭＦディスプレイの配置
図１４と図１５に示したように、複数のＤＭＦ２０ａ〜２０を部屋１４０２等の単一領域内に提供することができる。図１４と図１５の実施形態では、ＤＭＦ１４０４、１４０６および１４０８は、部屋１４０２の共有壁１４０４上に配置される。図１４と図１５にさらに詳しく示したように、ＤＭＦ１４０４、１４０６および１４０８はそれぞれ、ＤＭＦ１４０４、１４０６および１４０８とそれぞれ関連付けられた表示装置１４１４、１４１６および１４１８から出て提示ゾーン１４２４、１４２６および１４２８内に放射される画像変調光の形で画像コンテンツを提示し、その結果、表示装置１４１４、１４１６および１４１８によって提示された画像を部屋１４０２内で見ることができる。
【０１０５】
提示ゾーン１４２４、１４２６、および１４２８が一部重なり合っている、全ての提示ゾーン１４２４、１４２６および１４２８が重なる領域内で、ＤＭＦ１４０４、１４０６および１４０８からの画像コンテンツを見ることができる。そのような重なり領域は、本明細書では提示スペース１５００と呼ばれる。
【０１０６】
図１４と図１５に示した構成では、２つの基準が、基本的に、提示スペース１５００の範囲、各ＤＭＦの各表示装置の向き、およびＤＭＦ１４０４、１４０６および１４０８のそれぞれによって提供される提示領域の形状を定義する。
【０１０７】
図１６と図１７の示した構成では、提示スペースの定義と関連したさらに他の問題が示され、具体的には、表示装置の提示ゾーンは、ＤＭＦ１６０４、１６０６および１６０８からの画像変調光の伝搬速度と各表示装置からの伝搬距離１７０４、１７０６および１７０８の両方の関数であることを理解されよう。これらの図に示したように、ＤＭＦ１６０４および１６０８は、放射軸１７１４および１７１６に沿った第１の距離１７１２だけ人１７１０から離れており、ＤＭＦ１６０６は、放射軸１７２０に沿って第１の距離１７１２より小さい第２の距離１７１８だけ人１７１０から離れている。したがって、重なり領域およびしたがって提示スペース１７２２は、ＤＭＦ１６０６からのより少ない程度の光の伝搬によって制限される。
【０１０８】
このことから、複数のＤＭＦにわたるコンテンツの提示の管理において、コンテンツを提示するために使用されるＤＭＦの分布を少なくとも二次元的に理解する必要があり、好ましくは提示スペース内に視覚的コンテンツを提示するために使用されるＤＭＦの位置を三次元的に理解する必要があることを理解されよう。
【０１０９】
システム・セットアップ
図１８は、提示スペースを提供する部屋内の１つのＤＭＦ分布の斜視図を示す。ＤＭＦ１８０２〜１８１４の位置情報を得ることができる様々な方法がある。図１８の実施形態では、ＤＭＦ１８０２〜１８１４は、部屋１８００内に自立式に配置され、即ち、ＤＭＦ１８０２〜１８１４の固定された場所はない。
【０１１０】
そのような実施形態では、提示スペース１８２０内に視覚的コンテンツを提示するのに利用可能なＤＭＦ１８０２〜１８１４の位置および数は、そのような状況で、様々な異なる手法を使用して決定することができ、それらの手法のいくつかは、米国特許第７，０９１，９２６号に記載されており、この特許の手法では、ほぼ連続的な表示領域を形成してサラウンド型視覚的経験を提供するために複数の異なる表示画面の位置を決定することを含む。
【０１１１】
一般に、'９２６特許は、画面の位置をあらかじめ決定し、指定しまたは検出できることを述べている。センシングは、音響システム、無線システム、赤外線システム、または他のセンシング・システムなどの遠隔センシング装置の使用を含むことができる。たとえば、赤外線放射器を各ポイントに配置することによって、ユーザは、画面の周囲の３つのポイントを示すことができる。たとえば、赤外線放射器が配置された時間またはその時間近くでユーザがキーを押すことによって、各ポイントがコンピュータ・システムに知らされる。３つのポイント（表示画面の３つの角等）が分かれば、画面の三次元位置を画面寸法と共に決定することができる。
【０１１２】
センシングは、デジタル写真技術を使用して実行されてもよく、提示スペース１８２０内の位置からＤＭＦ１８０４〜１８１４の構成のデジタル画像を取得できることが理解されよう。そのようなデジタル画像を分析して、ＤＭＦである可能性のある提示スペース内の物体を識別することができ、たとえば、そのような画像分析は、背景パターン（壁）を探し、次に表示装置を示すサイズ、形状、縦横比または他の画像条件を有する背景領域内の中断を探すことによって実行することができる。
【０１１３】
１つの手法では、それぞれの表示装置１８３４〜１８４４の識別情報を表し、また表示ユニットのパラメータを示すしるしを表すモードでＤＭＦ１８０４〜１８１４を操作することができる。そのような識別情報と表示パラメータは、黄、赤、白等の明るい色で提示されもよい。このタイプのセットアップ・モードは、ＤＭＦ１８０４〜１８１４によるシステム・サイクルとしてフィードバックを実時間で制御回路に提供するビデオ・フィードで携帯型ビデオ・キャプチャ装置により取得することができる。これにより、パターンとパターン内のそれぞれ個々のＤＭＦの位置が決定される。この携帯型ビデオ・キャプチャ装置は、ＤＭＦのシステムの遠隔制御内にあってもよい。
【０１１４】
また’９２６特許では、三次元センシングは、当該技術分野で既知の任意の手段によって行うことができる。たとえば、三角測量法と共にレーザ・スキャニングや座標測定機を使用して位置を識別することができる。別の手法は、全地球測位システム（ＧＰＳ）センシングを使用することである。他の代替には、位相アンテナ・アレイを使用する角度測定、１つまたは複数のカメラを使用する撮像、情景分析等がある。
【０１１５】
別のタイプのセンシングは、機械的センシングである。これは、既知のポイントに配置された可動アームを使用することができ、アームの端部が、画面の１つまたは複数のポイントに接触される（または、近づけられる）。画面が隣り合った場所に継手またはヒンジが取り付けられてもよい。そのような継手は、隣り合った画面の平面との間にできる角度を測定することができ、その結果、主画面に対する補助画面の位置を決定することができる。これは、通常、補助画面の正確な位置を決定するのに十分である。ユーザは、画面のサイズを手動で入力することができ、したがって、プレゼンテーション・ソフトウェアは、各画面上に表示される情報を作成するのに必要なビューとビューポート・サイズだけを計算すればよい。そのようなセンシング継手は、複数の画面を保持し支持するのに十分な強度で作成することができる。そのような継手の例は後で説明する。
【０１１６】
別のセットアップ手順は、画面が作り出すパターンのメニューを含むことができる。パターン・メニューは、ネットワークを介して利用することもでき、単にユーザが手動で利用することもできる。パターンが決定された後、各ＤＭＦは、パターン内で割り当て位置を有する。本発明の一実施形態は、各ＤＭＦの後ろにある２つの回転ホイールを有することができる。各ホイールは、パターン番号とフレーム番号をラベル付けすることができるビット・コードのメニューを提示することができる。ユーザは、単純に、各ＤＭＦの後ろでホイールを所望のパターン番号に回転させることができる。さらに、ユーザは、パターン内の配置に対応するＤＭＦ番号を決定し、それによりフレーム番号がマークされたフレームの後ろでホイールが回転する。このプロセスは、全てのフレームがそれらの配置位置割り当てと関連付けられて番号付けされるまで繰り返される。
【０１１７】
画面の位置を決定する有効な１つの方法は、単純に、位置を入力することをユーザに依頼することである。この手動の位置決めは、距離と角度の測定をユーザに行わせることを含み、この距離と角度は、次に、測定値から画面位置を計算するコンピュータ・システムに入力される。ユーザ測定は、大雑把な近似値でよく、画面位置は、さらに、整合のとれたマルチ画面表示を作成するのに十分な精度で決定することができる。
【０１１８】
画面位置を較正することができる。１つの形の較正は、ユーザがコンピュータ表示画面上で画面のモデルを移動させることを可能にする。各画面モデルは、ユーザが見ている実際の画面に対応する。モデル位置は、ユーザがモデルを移動させているときに画面のビューを生成するために使用される。ユーザが、移動されているモデル画面を含む複数の画面間でシーン、テスト・パターン、参照物体等の整合したビューを見るときに、較正が達成される。ユーザは、現在のモデル位置で別の画面（たとえば、主画面）と整合するビューとなることをコンピュータ・システムに示し、コンピュータ・システムは、次に、情報を使用してモデルに対応する画面のさらに他のビューを生成することができる。
【０１１９】
画面位置をあらかじめ決定することができる。たとえば、プレゼンテーション・プログラムは、プログラム（即ち、プレゼンテーション）著者によって決定されたデフォルト（即ち、最適）画面配置を有することができる。この場合、ユーザは、画面を所定の向きで配置するように指示される。自動システムがユーザ介在なしに画面を移動させることができる。
【０１２０】
たとえば、図２３に示したように、ＤＭＦは、ケーブル式システム（図２１に示したような）を含むがこれに限定されない可動支持システムによって支持されてもよく、ＤＭＦは、旋回台、可動ロボット・アーム、またはロープおよびプーリ・システム等の上にあってもよい。
【０１２１】
ＤＭＦアレイ
次に図１９Ａに移り、デジタル・メディア・フレーム・アレイ１９００の正面斜視図が示される。図１９Ａに示したように、デジタル・メディア・フレーム・アレイ１９００は、複数のデジタル・メディア・フレーム支持体１９０４を位置決めして複数のＤＭＦ１９１０の少なくとも二次元配列を定義するアレイ構造１９０２を含む。図１９Ａに示した実施形態では、デジタル・メディア・フレーム支持体１９０４は、概略剛性のアレイ構造１９０２内のくぼんだ領域として概略的に示され、各領域は、１つのＤＭＦ１９１０を収容するように配列される。しかしながら、他の実施形態では、支持体１９０４は、異なる形状を呈してもよく、ＤＭＦを他の方法で支持するように適応されてもよい。さらに、様々な実施形態では、ＤＭＦ支持体１９０４が、複数のＤＭＦ１９１０を支持するように適応されてもよいことを理解されよう。デジタル・メディア・フレーム・アレイ１９００のＤＭＦ１９１０は、様々なサイズ、形状および縦横比の媒体フレームを含むことができ、またデジタル・メディア・フレーム・アレイ１９００にモジュール式に取り付けられてもよい。
【０１２２】
この実施形態では、ＤＭＦ１９１０は、デジタル・メディア・フレーム・アレイ支持体１９０２の前面１９１４に沿って配列されるように支持体１９０２内に配置される。
【０１２３】
図１９Ｂは、図１９Ａに示されたデジタル・メディア・フレーム・アレイ１９００の実施形態の後面斜視図を示す。図１９Ｂに示したように、アレイ支持体１９０２は、一連の個々の表示装置ホルダ１９６０が取り付けられるか、接合されるか、または一体形成された背面１９５５を提供する。電源コード１９６５が取り付けられた壁面電源１９８０が、ユニバーサル・シリアル・バス（ＵＳＢ）や同等のタイプのものでよいアレイ・インタフェース１９７０を介して個々の表示装置１９１０に電力を提供する。データをＤＭＦ１９１０に好都合に送ることができるように、各コネクタ１９７０にデータ線１９７２を提供することができる。これは、電源とデータの両方の接続を単一配線規格で統合するＵＳＢ規格を使用して行うことができる。ＤＭＦ１９１０に対するデータ通信および／または電力を提供するために、種々様々の他の配線、光通信および無線通信の使用を含む他の構成を提供することができる。
【０１２４】
図１９Ｂに示したように、データ線１９７２は、アレイ・コントローラ１９７５に集まる。示した実施形態では、アレイ・コントローラ１９７５は、アレイ・インタフェース１９７０にＤＭＦ１９１０のうちの１つと通信させるように適応され、その結果、アレイ・コントローラは、ＤＭＦ１９０１のためにプロセッサ（たとえば、処理回路２３６、演算処理装置３２６））と協力することができる。アレイ・コントローラ１９７５間のこのデータ通信は、様々な目的に使用することができる。詳細には、これにより、アレイは、デジタル・メディア・フレーム・アレイ１９００に支持された１つまたは複数のＤＭＦ１９１０と協力できるアクティブ・システムおよびサブ・システムを提供することができる。示したような詳細では、デジタル・メディア・フレーム・アレイ１９００は、複数の異なるアレイ対話システム１９０８を有し、その結果、デジタル・メディア・フレーム１９１０が、デジタル媒体フレーム・アレイ１９００によって支持されるときに、この組み合わせは、デジタル媒体フレーム１９１０を支持できないとできない方法でそれらの環境と対話することができる。
【０１２５】
図１９Ａに示したように、タッチ・センシティブ面と接触された時間と場所を示す信号をアレイ・コントローラ１９７５に提供するタッチ・スクリーンを形成する透明タッチ・センシティブ・スクリーン・オーバレイ１９４０が提供されてもよく、アレイ・コントローラ１９７５は、接触ポイントに対応する位置に配置された表示装置を有するＤＦＭ１９１０用のプロセッサに伝送するためのデータを決定する。セットアップ用のそのようなタッチ・スクリーン・オーバレイ１９４０は、ユーザが画像コレクションを手動で操作し移動させる能力と共に、選択意味論型の「プレイ・リスト」を含むがこれに限定されない様々な目的のために使用される。個々の媒体フレーム１９１０によって生成されたデジタル画像１９５０は、個々の表示艶消し開口部１９４５を通して見ることができる。
【０１２６】
図１９Ａに示したそのようなアレイ対話システムの別の例は、アレイに対して人の存在を検出するように適応された存在センサである近接センサ１９２５であり、アレイ・コントローラは、アレイ・インタフェースに信号をプロセッサに送らせ、プロセッサは、その信号から、画像提示を保留すべきかどうかを判定することができる。この機構を使用して、ユーザがいないときに電力を節約するために、提示スペース内のユーザの有無をＤＭＦ１９１０に警告することができる。
【０１２７】
さらに別の例では、アレイ対話システムは、図１９Ａと図１９Ｂの両方に示された音声システム１９２８を含むことができる。音声システム１９２８は、アレイ・コントローラ１９７５によって提供されるデジタル音声データに基づいて音声信号を生成するように適応される。アレイ・コントローラは、次に、ＤＭＦ１９１０のプロセッサと協力してデジタル音声データを取得する。これは、ＤＭＦ１９１０から音声データをダウンロードすることによって、またはＤＭＦ１９１０から、音声データを取得できかつそのような音声データが得ることができるインターネット等のネットワークかもしくはそのような音声データにアクセスできる装置に直接接続できる場所のアドレスを取得することによって行うことができる。示した実施形態では、音声システム１９２８は、視覚表現と関連した音声データをユーザに再生するために音声増幅器１９３５によって出力が供給される音声スピーカ１９３０を有する。
【０１２８】
図１９Ｃと図１９Ｄは、リモート・データ信号インタフェース１９２０を有するアレイ対話システム１９０８の別の実施形態を示す。リモート・データ信号インタフェース１９２０は、遠隔制御ユニット、デジタル・カメラ、携帯電話等の遠隔装置と通信するために使用される。アレイ・コントローラ１９７５は、遠隔装置から受け取った信号に基づいて、アレイ・インタフェースが信号をプロセッサに送るようにする。そのような信号は、画像データと命令データを含むことができる。
【０１２９】
リモート・データ信号インタフェース１９２０は、信号がアレイに対して送られた方向を検出できないタイプのものでもよく、そのような方向を検出できるタイプのものでもよい。ハード無線周波数三角測量システムの方向性光センサを含むがこれに限定されない種々様々な既知の構造が、これを行うことができる。
【０１３０】
そのような方向情報が入手可能なときは、図１９Ｃに示したように、遠隔制御インタフェース１９２０を備えた表示システム１９００が、遠隔制御装置１９１５によって制御される。コントローラ（図示せず）は、表示システム１９００に対する遠隔制御装置１９１５の位置に基づいて、装置の相対位置を、デジタル画像トランジションのベクトル方向を提供するために使用するベクトル方向として解釈する。図１９Ｃに示したように、初期画像１９５１は、ベクトルで決定されたトランジション１９５２に沿って次の画像１９５３と過渡的に置き換えられる。これにより、遠隔制御装置１９１５と、表示システム１９００または位置決めによって画像トランジション・フローをガイドするベクトル経路を有する遠隔制御信号を検出するために使用されるセンサとの間のベクトル経路１９７１を決定することができ、新しい１組のデジタル画像のソースの直観的指示の提供が可能になる。
【０１３１】
図１９Ｄは、表示装置１９００に対する遠隔制御装置１９１５の別の位置を示す。この例では、遠隔制御装置１９１５は、表示システム１９００の右端の中心にいて水平方向左側を指してベクトル経路１９７３を確立するユーザによって位置決めされる。次に、初期画像１９５１が、画像トランジション１９５２と次の画像１９５３によって置き換えられる。
【０１３２】
他の実施形態では、アレイ・コントローラ１９７５は、ＤＦＭ１９７６が環境刺激を提供するか環境刺激を受ける能力を変化させる効果を有する他の資源を、ＤＦＭ１９７５と共有できるようにする。
【０１３３】
たとえば、アレイ・コントローラ１９７５は、ＤＦＭアレイ１９７５に支持されたＤＦＭ１９１０の共有メモリを提供することができる。そのような実施形態では、アレイ対話システムは、音声表現や映像表現等の特定のメモリ集約的な形の環境的対話を行うことを可能にするために、必要に応じて追加のメモリ容量を提供するメモリ・バッファ・システムを含む。そのようなメモリ・バッファは、無線通信トランシーバ１９９５を使用しかつコントローラとプロセッサ１９９０によって管理される無線データ転送モダリティによって取り外し可能でかつ／または遠隔更新可能な表示装置でもよい。別の実施形態では、アレイ対話システムは、音声表現と映像表現を含むがこれに限定されない特定の処理集約的な環境的対話を可能にするために、必要に応じてプロセッサに追加の処理能力を提供する補助処理システムを含むことができる。
【０１３４】
また、図１９Ｂの実施形態に示したように、壁掛け用取付具１９８５は、絵画掛け金具等の丈夫な吊るし装置によって従来通りに取り付けられた写真フレーム、鏡、平らな美術作品等と同じように、デジタル・メディア・フレーム・アレイ１９００を垂直面に取り付けるために使用される。
【０１３５】
ＤＦＭ１９１０を収容する固定式支持体を有しかつアレイ・コントローラ１９７５とＤＦＭ１９１０間のデータ通信用の個々のデータ・ケーブルとコネクタを提供するデジタル・メディア・フレーム・アレイが使用される場合、アレイ・コントローラ１９７５は、複数のデジタル媒体フレームのうちのどれが、複数の支持体のうちのどれによって支持されるかを判定するように適応されてもよく、その判定を使用してＤＦＭ１９１０の相対位置を自動的に決定できることを理解されよう。そのようなデジタル・メディア・フレーム・アレイは、様々な形態のうちのどの形態をとってもよく、デジタル・メディア・フレーム１９１０を、三次元に沿って互いに分離された位置を含む複数の異なる向きで位置決めできることが理解されよう。
【０１３６】
支柱取り付け式表示システムが示された図２０を参照すると、このシステムは、デジタル・メディア・フレーム・アレイ２００５の個々の表示装置を含むデジタル・メディア・フレーム・クラスタ２０００用の取り付けを提供する。
【０１３７】
支持台と電子ハウジング２０２５に接続された電源コード２０１５を介して、壁面電源２０１０からデジタル・メディア・フレーム・クラスタ２０００に電力が提供される。個々の表示装置取り付けおよびデータ・インタフェース２０３０が、支柱２０３５の長さに沿って提供され、デジタル・メディア・フレーム２００５の個々の表示装置をフック（図示しない）によって機械的に取り付けかつ電力とデータを提供するために使用され、ユニバーサル・シリアル・バス（ＵＳＢ）やその同等物等のタイプのものでよい。
【０１３８】
支柱２０３５は、２つの部分からなる伸縮式組立体でよく、伸縮部分を外方に拡張させて典型的な床と天井の間にどちらの面を損傷も変質もさせることなく確実に圧力取り付けされるようにバネまたは空気圧で付勢されてもよい。支持台および電子ハウジング２０２５は、リモート・データ信号インタフェース、個々の表示データ電力インタフェース、表示アレイ用の共有メモリ、ディスプレイ・コントローラおよびプロセッサ、および無線通信トランシーバ（全て図示せず）を含む。音声スピーカおよび音声増幅器２０４０は、同じ個々の表示装置取り付けおよびデータ・インタフェース２０３０を使用して台２０３５への取り付けおよびデータと電力を提供する単一体ハウジング内に提供される。デジタル画像２０４５は、デジタル・メディア・フレーム・アレイ２００５の個々の表示装置上に提示される。リモート・データ信号インタフェース２０５５は、遠隔制御装置、デジタルカメラ、携帯電話等の他の制御装置と通信するために使用される。近接センサ２０５０は、必要に応じて、ユーザがいないときに電力を節約するために、ユーザの存在をユニットに警告するために使用される。
【０１３９】
提示用視覚的コンテンツの選択
図２３は、図１４と図１５に関して前に述べたように配置された第１の実施形態を含むＤＦＭ構成を有する部屋２３００の斜視図を示す。図２４は、前の図１５と類似した図２３の構成の上面図を示すが、ＤＭＦ２３０４、第２のＤＭＦ２３０６および第３のＤＭＦ２３０８を利用する表示システム２４１０の第１の実施形態のシステム・レベル構成要素を示す。
【０１４０】
図２４に示したように、システム２４１０は、第１のＤＭＦ２３０４、第２のＤＭＦ２３０６および第３のＤＭＦ２３０８の３つのＤＦＭを含むが、これは、単純にするためのものであり、実際にはもっと多数のＤＭＦを使用することができる。また、図２４に示したように、第１のＤＭＦ２３０４、第２のＤＭＦ２３０６および第３のＤＭＦ２３０８に論理的に接続されその結果これらの間でデータを交換できるようなコントローラ２４２０が提供される。そのような論理的接続方法は、有線通信または無線通信の任意の形を使用して行うことができる。したがって、コントローラ２４２０と、第１のＤＭＦ２３０４、第２のＤＭＦ２３０６および第３のＤＭＦ２３０８との間で、前述の方式のいずれかの方式を使用して論理的接続を行うことができる。
【０１４１】
一実施形態では、コントローラ２４２０は、図７に図示され説明されたのと同じようにＤＦＭに論理的に接続されたＤＦＭサーバ７２０を含むことができる。別の実施形態では、コントローラ２４２０は、図１０のＤＭＦネットワーク・サーバ（「ＤＮＳ」）１０５９を含むことができる。さらに他の実施形態では、コントローラ２４２０は、任意のタイプの計算または処理システムと、ＤＦＭとの論理的接続を確立することを可能にする通信システム（図示せず）を含むことができる。最後に、さらに別の実施形態では、コントローラ２４２０によって実行されるように後で示す機能と方法を、単独または組み合わせで働く１つまたは複数の処理回路２２０または演算処理装置３２０によって実行することができる。コントローラ２４２０は、また、デジタル画像２４２２のソースに論理的に接続される。デジタル画像のソースは、デジタル・スチル・カメラ、デジタル・ビデオ・カメラ、スキャナ、コンピュータ、ローカル・サーバ、リモート・サーバ、メモリ装置、インターネット、プリンタ、インターネット・アプライアンス、遠隔制御装置、携帯情報端末、個人用ビデオ・プレーヤ、電話、通信ネットワーク、携帯電話、アナログ・テレビ、デジタル・テレビ、ケーブル、衛星または他のテレビジョン・システム等のテレビ信号分配システム、および／またはソリッド・ステート、光、磁気テレビ信号記録および／または再生システム等のテレビション・システムのレコーダやプレーヤ等のテレビジョン記憶システムのうちの任意のものを含むことができる。デジタル画像２４２２のソースは、株式写真データベースや個人データベース等の外部の既存データベースへのインターネット接続または直接接続を含むことができる。また、そのようなグラフィカル素材および／または画像素材の普及のために公的サイトが開発されることが予測できる。
【０１４２】
一実施形態では、検索機能またはエンジンを使用することによって、個々のデジタル画像がそのようなデジタル画像ソース内にあってもよい。デジタル画像ソースが、複数の索引によって索引付けされたリレーショナル・データベースを使用して編成されたデジタル画像を有する場合、そのようなデータベースの検索は、キーワードを書き込むことによって行うことができ、この検索に対する答えは、応答したデジタル画像ファイル名のリストまたはサムネイルや他の答えの配列を含むことができる。
【０１４３】
デジタル画像ソース２４２２が、より高度な索引付け方法を使用することができ、そのような方法を使用して開発された任意のデータベースを使用して、提示用のデジタル画像を探し識別できることが当業者によって理解される。たとえば、画像は、キーワードではなく画像コンテンツの説明と推論に基づくような複数のカテゴリで索引付けされてもよい。キーワードが、画像を取り巻く状況を示す場合（即ち、誰パラメータ、何パラメータ、何処パラメータ、何時パラメータ、および何故パラメータ）、コンテンツ記述子が、実際には、デジタル図形素材内のデータを示す。そのような因子は、画像コンテンツと呼ばれ、画像自体から得られ、カラーヒストグラム、質感データ、解像度、輝度、コントラスト、顔認識、物体認識、文字認識等を含むことができる。さらに、コンテンツを記録しまたは利用する装置自体は、カメラ・メタデータ（Camera Metadata）と呼ばれる別の意味論要素を作成し、時間／日付、ＧＰＳ場所データ、画像の向き、画像サイズ（解像度、形式、圧縮）、キャプチャ設定（スポーツ、肖像、マクロ等）、フラッシュ状態（オン／オフ／補助光）、焦点位置、ズーム設定、ビデオ・シーケンス持続時間、ビデオ符号化タイプ、ビデオ「キーフレーム」指定、ビデオ「静止フレーム」指定等を含む。画像コンテンツ・データと画像および／またはイベント・ベースの視点からのカメラ・メタデータとを組み合わせることによって、画像と画像オブジェクト間の意味論的関係を確立することができる。ＧＰＳ場所情報、記録の時間／日付、および目／顔認識および物体識別等の得られたセグメント割り当て等の記録されたメタデータを使用することによって、意味論的関係を確立することができる。
【０１４４】
カメラ・レベルで得られた情報、画像コンテンツおよび音声トラックに加えて、写真内の人々、場所、イベント・タイプおよび目的に関する情報の統合が、情報のセマンティック・ウェブを作成する際にコンピュータを学習させることによって合成される。そのような１つの特許（Nicponskiによる米国特許第７，０３５，４６７号）は、ケーキ、花嫁、子どもたちの画像を読み出し、それによりイベントを推論することを教示している。そのイベントは、たとえば、休日や誕生日などの世界、国、宗教、地域および個人の重要な日である。郵便番号、生年月日、および学校年間予定表により、訓練されたシステムは、恐らく、学校での息子の上級コンサートに関して前より詳しい情報を取り出すことができる。米国特許第５，６５２，８８０号等の様々な特許が、コンテンツと関連付けられた意味論要素の検索と取り出しを容易できるオブジェクト間の体系化された連係を記憶するための枠組を示唆している。
【０１４５】
図２５は、コントローラ２４２０を操作する方法の一実施形態を概略的に示す。ステップ２５０２で、システム・コントローラは、デジタル画像２４２２のソースにアクセスする。ユーザがコントローラ２４２０にユーザ入力を行うことを可能にするためにユーザ・インタフェース２４２４が提供される。ユーザ・インタフェース２４２４は、手持ち式遠隔装置等の遠隔制御装置、または有線または無線キーパッドおよびマウスを含むことができる。システム２４１０のユーザにフィードバックを提供しかつ／またはグラフィック・ユーザ・インタフェースを使用してそのようなユーザ入力およびフィードバックを容易にできるようにするために、必要に応じて、表示装置２４２６が提供される。また、表示システム２４１０は、第１のＤＭＦ２３０４、第２のＤＭＦ２３０６および第３のＤＭＦ２３０８のうちの１つ以上を含むことができる。
【０１４６】
この方法の最初のステップで、システム・セットアップ機能が実行される（ステップ２５０２）。このステップで、前述のセットアップ機能を実行して、表示スペースにコンテンツを提示するＤＦＭの番号を少なくとも決定し、必要に応じて各ＤＦＭの相対位置を識別する。また、前述の機能に加えて、表示解像度、表示色情報、表示リフレッシュ・レート、演算処理装置の処理速度、マルチスレッデイングおよびマルチコア特性を含むがこれらに限定されない特性を識別する演算処理装置情報、メモリの全容量、タイプおよび速度などのメモリ特性、メモリに記憶されたデータのメモリ・マップ、および／またはそのようなメモリに記憶されたデータの性質と状態をそれぞれ含む特性の決定を含むセットアップ機能を実行することができる。さらに、セットアップ中に、特定タイプのメモリの可用性、通信能力、処理能力またはプログラミングや他の能力を示す各ＤＦＭの性能のリストを提供することができる。セットアップ中に各ＤＦＭの他の表示性能も提供することができる。他のそのような性能は、ＤＦＭの表示の縦横比、ＤＦＭの向き等のデータを含むことができる。
【０１４７】
次に、提示されるデジタル画像の少なくとも２つの意味論要素を含む意味論タイプを決定する（ステップ２５０４）。これは、ユーザにユーザ・インタフェース２４２４と表示装置２４２６を使用させて、提示される画像の意味論タイプを識別することによって手動で行うことができる。別の実施形態では、コントローラ２４２０は、ユーザ・プロファイル、基本設定または他の情報に基づいて意味論タイプを自動的に選択することができる。
【０１４８】
コントローラ２４２０は、決定された意味論タイプを使用して、アクセスされたデジタル画像の意味論情報による自動変性を可能にすることができる。本明細書では、用語「意味論情報」は、観察者によって解釈されるときにデータの特定部分の意味を指すために使用される。意味論情報は、１つまたは複数の意味論要素に基づいて決定される。たとえば、意味論情報は、テキスト文書内の単語または語句の意味や画像内の光と影の特定パターンの１対の目としての解釈等の個々の意味論要素を指し、また同一画像内のテキストと１対の目の観察等の意味論要素の組み合わせから得られる意味論情報を指す。意味論タイプの決定は、提示されるデジタル画像内の所望の意味論情報を識別するためにコントローラ２４２０によって使用され、検索を実行するために少なくとも１つの意味論要素を定義する効果を有する。
【０１４９】
意味論要素は、デジタル画像および／またはそのデジタル画像と関連付けられた任意のメタデータにおける文脈指標（context indicator）を識別することによって決定することができる。デジタル画像内の文脈指標を識別するために様々な規則が使用され、概念を分かりやすくするために、文脈指標を識別するために使用される規則を、関連文脈指標およびそのような文脈指標を決定するための関連規則のカテゴリの文脈枠組に組み込むことができる。文脈的枠組において、文脈指標は、識別された文脈に関連するものとして関連規則によって識別された意味論情報の特定の要素である。したがって、個々の文脈枠組は、デジタル画像において利用できる可能性のある意味論情報のいくつかを含み、利用できる可能性のある他の意味論情報を含まない。含まれる意味論情報の一般的な性質は、指定された意味論要素によって示すことができ、以下の例のように、人間文脈のカテゴリと関連付けることができる。
【０１５０】
文脈枠組の１つの例は、時系列の文脈枠組であり、即ち、１組のデジタル画像の時系列的文脈を識別する年表と関連した規則の枠組である。たとえば、ある規則は、コントローラ２４２０にデジタル画像および任意の関連メタデータを分析させてデジタル画像を取得した一連の日時を決定させることができ、別の規則は、各デジタル画像および関連メタデータを調べて１つのコンテンツ・データ・ファイルを時刻と関連付けようとすることができ、さらに別の規則は、コントローラ２４２０にコンテンツ・データ・ファイルを分析させて特定のイベントが生じた時刻を決定させることができ、さらに別の規則は、コントローラ２４２０に１組のコンテンツ・データ・ファイルが作成された時期を決定させることができる。また、時系列的枠組は、１組のコンテンツ・データ・ファイルが単一イベントまたは一連の異なるイベントを表わすかどうかをコントローラ２４２０に判定させる規則かつ／または１組のコンテンツ・データ・ファイルをイベント・グループに編成するための規則を含むことができる。コンテンツ・データ・ファイルをそのようなイベント・ベースで集める方法は周知である。そのような時系列的指標は、日時情報等の特定のコンテンツ・データ・ファイルと関連付けられたメタデータに見つかることもあり、誕生日等の通過儀礼を示す主要な休日やイベント等の時系列的出来事を意味することが知られている画像、テキスト、または音声要素等の時系列的指標のためのコンテンツ・データ・ファイルのコンテンツの分析によって見つかることもある。
【０１５１】
また、デジタル画像とメタデータの分析は、文脈枠組の規則によって提供される追加情報と組み合わせて使用されてもよい。たとえば、世界、地域または個人の重要な休日および日の表を含む規則を使用して日付情報を確認することができる。
【０１５２】
この同じ手法は、他のタイプの文脈枠組にも適用される。
【０１５３】
文脈枠組の別の例は、コンテンツ・データ・ファイル内の環境的文脈指標を探すための規則を含む環境的文脈枠組である。そのような環境的文脈指標は、一般に、話が語られる周囲条件を決定する規則について延べ、たとえば、天候、日中および屋内／屋外の状態を決定するための規則を適用することができる。時系列的指標のような環境指標は、メタデータおよびコンテンツの分析並びに付加外部情報の使用によって決定することができる。たとえば、ホワイト・バランスに関するメタデータは、屋内／屋外状態を示すことができ、露光レベルは、日中または夜間の屋外状態を示すことができる。代替として、日時情報は、全地球測位システム（ＧＰＳ）によって提供されるデータ等の衛星測量情報との組み合わせで、特定のコンテンツが作成された時間における天候を決定するために天候情報の外部データベースにアクセスする規則と組み合わせて使用することができる。
【０１５４】
文脈枠組のさらに他の例には、場所の規則を定義する社会的枠組と、描写された人々のグループ分け等のコンテンツ・データ・ファイル内の社会的文脈指標があるがこれらに限定されない。たとえば、適切な規則を使用して、家族グループ分け、学校グループ分け、仕事グループ分け等を識別することができる。
【０１５５】
他の文脈枠組を提供することができ、たとえば、政治的および技術的枠組はそれぞれ、文脈指標として政治的要人または技術開発のしるしを含むことができる。これらの文脈指標は、場所や日付等の他の文脈指標を使用して外部データベースにアクセスする規則によって選択されてもよい。
【０１５６】
他のタイプの文脈枠組には、運動的枠組、教育的枠組、および地理的枠組がある。文脈枠組は、特定の要求を満たすために様々なタイプを組み合わせたり分割したりすることができる。たとえば、運動的および教育的文脈枠組を提供することができる。同様に、運動的文脈枠組は、様々なスポーツの個々の文脈枠組と置き換えることができる。文脈枠組は、グローバルなもの、即ち全ての状況で全てのユーザによって使用可能でもよく、用途が制限されてもよい。たとえば、特定の著者、題名、通信のタイプまたは作業、作成方法、または使用方法に固有の文脈枠組を提供することができる。
【０１５７】
文脈指標を決定し優先順位を付ける際に使用される文脈的な規則は、二進数でも確率的でもよい。たとえば、単一の文脈規則または規則群は、ベイジアン・ネット（Bayesian net）の形で提供されてもよい。文脈規則および特定の文脈枠組に使用される文脈指標は、発見的方法で決定されてもよく、遺伝アルゴリズムの使用等の自動化された分類技術を使用して決定されてもよい。これらの技術の使用は、当業者に周知である。
【０１５８】
次に、デジタル画像が、決定された意味論タイプに基づいて提示のために選択される（ステップ２５０６）。これは、推論照会（inference query）を生成することによって行われ、次に、決定された文脈指標を少なくとも１人の人物に関する知識ベースに適用することによって得られる。そのような人物は、たとえば、ユーザ、ユーザによって選択された人物、またはシステム２４１０の提示スペース内に見られる人物を含むことができる。さらに、このために、そのような関連付けられた人物は、たとえば、任意のデジタル画像に含まれる任意の人物、描写された文字、または他の擬人的表現も含むことができる。提示スペース内に２人の人物が見つかった場合のように１人または複数の関連付けられた人物があってもよい。説明の便宜上、知識ベースは、一般に、本明細書では単一の人物に関して言及される。
【０１５９】
人物に関する知識ベースは、メモリ２２６、３２６内に記憶されてもよく、コントローラ２４２０によってアクセスできる任意のメモリに記憶されてもよい。知識ベースは、決定された文脈指標を使用してアクセスされる関連人物に関する参照情報を含む。参照情報は、教育情報、専門情報、社会情報等を含むがこれらに限定されない関連人物に関する伝記情報等の情報を含む。参照情報は、文脈指標と組み合わせて使用されて、決定された意味論タイプと関連付けられた意味論情報を有するアクセスされたデジタル画像ソース内のデジタル画像を探すために使用される推論照会が形成される。
【０１６０】
たとえば、参照情報は、人物の教育履歴を含むことができる。教育履歴は、関連人物が通学した学校および通学年を識別することができる。文脈指標が、特定の年に１組のコンテンツ・データ・ファイルが取得されたことを示唆し、知識データベースが、関連人物がその年に特定の学校に通学したことを示す場合は、学校と関連したコンテンツ・データ・ファイルおよび／または関連する年に学校に通った人物の推論照会を生成することができる。
【０１６１】
一実施形態では、通信作業に含めるために選択された全てのデジタル画像が提供される。しかしながら、これにより、デジタル画像の提示が極めて多数になる可能性がある。
【０１６２】
代替として、含めるために提供されるデジタル画像および／または関連メタデータを何らかの方法で制限することができる。たとえば、デジタル画像および／または関連メタデータを、デジタル画像および／または関連メタデータの数、合計サイズ等の所定のメトリック、または最低優先レベルより高い優先順位を有するものに制限することができる。使用されるメトリックは、発見的方法で決定されてもよく、文脈枠組、関連人物、題名、通信のタイプまたは作業、作成方法、および使用方法等の因子によって変化してもよい。
【０１６３】
一実施形態では、意味論タイプにしたがって自動的に選択されたものから、所定の優先順位のメトリックを満たすデジタル画像だけが選択される。代替として、ユーザは、提示用に選択された画像から特定の画像を識別することができる。
【０１６４】
重要性の決定は、検索の際に見つかったデジタル画像の性質とデジタル画像と人物の関係に基づく。関連人物にとってより高い緊急レベルまたはより近い関係を有するコンテンツを描写するデジタル画像により高い優先順位が与えられる。したがって、前述の学校関連のデジタル画像の検索では、学校の現在の外観を示すコンテンツを有するデジタル画像が、人物がその学校に通学した年から内容を示すデジタル画像より低い優先順位が与えられる可能性がある。同様に、その時間にその学校いた関連人物を実際に描写するコンテンツ・データ・ファイルが、さらに高い重要性のものであると判定され、より高い優先順位が与えられる。
【０１６５】
重要性を測定する幾つかの手段がある。任意の重要性測定システムを使用することができる。以上の考察は、そのようなシステムの特定の例を対象としたものであり、心理学的重要性は、Abraham H. Maslow, Motivation and Personality (１９５４)で述べられているようなマズロー（Maslow）の要求階層等を使用して測定される。また、心理学的重要性に強さ、遍在および持続時間をかけて絶対的重要性と呼ばれる積を提供することができる。（社会的、経済的、歴史的、政治的等）重要性を測定する他の形態が、ユーザの必要性に応じて等しい場合もありより適切な場合もあることに注意されたい。
【０１６６】
次に、コントローラ２４２０は、選択されたデジタル画像を所定数の表示装置を使用して提示する方法を決定し（ステップ２５０８）、決定された方法を使用して、選択されたデジタル画像を提示する（ステップ２５１０）。様々な提示方法は、以下の節で述べる。
【０１６７】
デジタル画像提示方法
一実施形態では、コントローラ２４２０は、ＤＭＦの特徴を評価し、デジタル画像の画像特徴に基づいてデジタル画像を特定のＤＭＦに割り当てることによって行うことができる特定のデジタル画像を提示する第１の方法を選択することができる。この第１の方法は、表示装置の位置的構成ついての知識を必要としない。
【０１６８】
そのような特徴には、フレーム縦横比、向き、およびサイズがある。表示装置のそのような特徴は、セットアップ・プロセスの際に識別することができる。たとえば、ＤＭＦ上の表示装置の向きとデジタル画像の向きを一致させることが極めて望ましい。別の例では、ビデオ・コンテンツを含むデジタル画像は、より大きな表示装置、即ち他のＤＭＦで利用可能なものより高いリフレッシュ・レートまたは多くのメモリを有する表示装置を有するＤＭＦを使用して提示されてもよい。残りの画像は、より小さいフレーム内に示される。
【０１６９】
フレーム割り当ての別の実施形態は、画像重点に基づくことがある。米国特許第６，７４８，０９７号は、高品質の画像には高い倍率を提案し、したがって、低い価値の関連画像ほど小さいフレーム上に表示される。そのような画質は、一般に、当該技術分野で既知のように、焦点、照明品質、成分測定などの要素を使用して決定することができる。提示方法の追加の特徴には、各画像が表示される時間の長さ、トランジションのタイプと持続時間、他のビデオが開始フレームにある間の同時のビデオの再生などがある。
【０１７０】
また、特定の特徴を有するＤＭＦに提示するデジタル画像を割り当てる基準として意味論情報を使用することもできる。具体的には、決定された意味論タイプは、複数の異なるタイプの意味論要素の組み合わせと関連付けられたデジタル画像の識別を必要とする可能性があることを理解されよう。一実施形態では、より大きい表示装置または他の点で好ましい表示装置を使用して、全ての意味論要素の組み合わせに基づいて選択されたデジタル画像を提示することができ、一方、好ましくないＤＭＦは、意味論タイプと関連付けられた意味論要素の全ての組み合わせより少ない意味論要素のサブセットを使用して見つけられたデジタル画像を提示するために使用される。
【０１７１】
一例では、決定された意味論タイプは家族を含むことができ、関連人物は第１の親を含むことができる。したがって、第１の親、第２の親、第１の子どもおよび第２の子どもを含む４つの意味論要素の組み合わせのデジタル画像を分析することによって得られる可能性のある家族のグループ分けを示すデジタル画像を探す推論照会を生成することができる。４つ全ての画像の意味論要素を含むデジタル画像を主要ＤＭＦ上に配置し提示することができる。この例では、前述のもの（ＤＭＦ２３０４）のように第１のＤＭＦ２３０４および第３のＤＭＦ２３０８と比べて第２のＤＭＦ２３０６の特徴の比較的大きな表示サイズに基づいて、第２のＤＭＦ２３０６が主要ＤＭＦになるように決定される。
【０１７２】
第１の親と第１の子どもと第２の子どものいずれかとを表示装置に描写する意味論要素の第１のサブ組み合わせの第１の付加的な推論照会を生成することができる。第１の付加的な推論照会によって探されたデジタル画像は、第３のＤＭＦ２３０８より大きい第１のＤＭＦ２３０４に表示することができる。デジタル画像内に親と子どものどちらかがいることを示す意味論要素の第２の組み合わせの第２の追加推論照会によって探されたデジタル画像は、第３のＤＭＦ２３０８を使用して提示することができる。
【０１７３】
意味論要素が、探し出されたデジタル画像のサブセットが関連付けられていることを示唆する場合、コントローラ２４２０は、所定の関係性に対応するようにそのようなサブセットのデジタル画像を提示するように適応されてもよい。たとえば、様々な視点から取得された共通イベントの画像は、視点の違いと一致する方式でかつイベントの発生と一致する順序で識別され提示されてもよい。
【０１７４】
別の例では、デジタル画像は、２０秒間続くビデオ・シーケンスの形をとることがある。したがって、コントローラ２４２０は、ビデオ・タイプのデジタル画像を第２のＤＭＦ２３０６上に提示させ、同時に関連した静止画像タイプのデジタル画像を第１のＤＭＦ２３０４と第３のＤＭＦ２５０６上に提示することができる。
【０１７５】
特定のデジタル画像と関連付けられた音声コンテンツや他の非画像環境刺激は、たとえば音声システム１９２８等を使用して関連デジタル画像の提示と同時に提示されてもよいことを理解されよう。
【０１７６】
システム・コントローラ２４２０が、第１のＤＭＦ２３０４、第２のＤＭＦ２３０６および第３のＤＭＦ２３０８の位置を確立した一実施形態では、各フレームの他のフレーム画像に対する場所に関する情報があるＤＭＦの空間分布を定義できるようになる。そのような機能を使用して、画像の提示をより直観的に理解し易くすることができる。
【０１７７】
図２６は、少なくとも２つの軸に沿って空間的に離された複数の表示装置を使用して画像を提示する方法の１つの例を示す。図２６に示したように、提示されるデジタル画像が得られる（ステップ２６０２）。そのようなデジタル画像は、意味論的な検索または他のタイプの検索の結果として提供されてもよく、手動で選択されてもよい。次に、得られたデジタル画像および任意の関連メタデータを分析して、画像視点の決定を各デジタル画像に割り当てる（ステップ２６０４）。示した実施形態では、画像視点の決定をデジタル画像に割り当てるとき以下の規則を考慮することができる。
【０１７８】
上側視点の画像は、高高度の場所で取得された画像、上向きカメラ、方位角、山々の写真、空の割合が多い写真、およびデジタル画像を取得したキャプチャ装置の方に下方に目または頭を向けた状態の人を含む、認識可能な特徴を有する任意のデジタル画像を含むことができる。
【０１７９】
これと反対に、下側視点の画像は、低高度の位置で撮影された画像、ボートの写真、さらには水中写真に対応することができる。さらに他の特徴は、見下ろすカメラ、方位角、および見上げる人を含む。
【０１８０】
中間視点の画像は、前述の特徴を有しない画像、または等しい量の空と地面、比較的平坦な方位情報、または比較的水平な表示画像が捕捉されたことを示唆する場所情報等、水平な写真または視点を示す特徴を表す画像でよい。
【０１８１】
この手法によりメタデータまたは意味論情報に基づいて画像を指定できることを理解されよう。
【０１８２】
そのようなシステムの複数のＤＭＦ上に提示するためのデジタル画像の配置は、デジタル・メディア・フレーム間の決定された多次元関係と、決定された画像視点とにしたがって決定することができる（ステップ２６０６）。一実施形態では、これは、たとえば、高視点画像を上側フレームに振り向け、下側視点画像を下側ＤＦＭに振り向け、中間視点画像を上側ＤＦＭと下側ＤＦＭの間のＤＦＭに振り向けることによって、視点割り当てと一致するようにデジタル画像をＤＭＦに振り向けることによって行うことができる。また、必要に応じて、最も優れた写真または画像重点写真、ほとんどの人を含む画像、およびビデオ・コンテンツに中間フレームとより大きいフレームを当てることができる。
【０１８３】
さらに、類似の規則を使用して、左向きカメラと右向きカメラ（ＧＰＳ規格の一部）、右を見ている人々を示す視点割り当てをデジタル画像に割り当てることができる。しかしながら、ここでは、最も右の視点の画像を最も左のフレーム上に提示するのがより自然で直観的であり、その理由は、そのような位置決めが、左向きの人や右向きのカメラと一致するからである。
【０１８４】
他の実施形態では、時系列で関連付けられたデータを左から右に提示することができ、また時間間隔を作成することもできる。時間間隔は、子どもの年齢等の年代をフレームの列番号に分解することを含む。フレームが５列ある例では、たとえば、子どもの寿命の最初の５年までを第１列のフレームに、次の５年を第２列のフレームに分解する。さらに、他の要素は、行への割り当てを提供することもできる。１つのタイプの行割り当てには、第１行に子ども番号１、第２行に子ども番号２等の例がある。
【０１８５】
また、提示手法が、提示のために許可された時間全体による影響を受けることがあり、提示のために分配された時間期間により適合させるために、ビデオ・タイプのデジタル画像の提示をトリミングし、拡大し、高速化しまたは分割するように特定のコンテンツの提示時間を自動的に調整できることを理解されたい。
【０１８６】
前述のように、ＤＦＭ上のデジタル画像が変更されたときに、画像トランジション効果を使用して信号を送ることができる。所望の効果を提供するためにトランジション効果を同時、同期、様々な速度、および／または連続して提示するシステムにおいて、様々なフレーム上の画像を既知のトランジション効果を使用して移行させ、また複数のＤＦＭ上の画像と共に同時に移行させることができる。
【０１８７】
また、ＤＭＦの既知の位置に提示するためのデジタル画像を割り当てる基準として意味論情報を使用することができる。具体的には、決定された意味論タイプは、複数の異なるタイプの意味論要素の組み合わせと関連付けられたデジタル画像の識別を必要とする場合があることを理解されよう。一実施形態では、中央に配置されたＤＦＭまたは他の点で好ましく配置されたＤＦＭを使用して、全ての意味論要素の組み合わせに基づいて選択されたデジタル画像を提示することができ、一方、意味論タイプと関連付けられた意味論要素の全ての組み合わせより少ない意味論要素のサブセットを使用して探されたデジタル画像を提示するために、好ましくないＤＭＦが使用される。
【０１８８】
１つの例では、決定された意味論タイプは家族を含むことができ、関連人物は第１の親を含むことができる。したがって、第１の親、第２の親、第１の子どもおよび第２の子どもを含む４つの意味論要素の組み合わせに関してデジタル画像を分析することによって得られる家族のグループ分けを示すデジタル画像を探す推論照会を生成することができる。４つ全ての画像の意味論要素を含むデジタル画像を探し、主要ＤＭＦ上に提示することができる。この例では、ＤＭＦのうちの１つのＤＭＦが、他のＤＭＦの他の位置と比べて中央位置にあり主要ＤＭＦであることが決定される。
【０１８９】
表示装置に第１の親と第１の子どもまたは第２の子どもとを描写する意味論要素の第１のサブ組み合わせの第１の追加の推論照会を生成することができる。第１の追加の推論照会によって探されたデジタル画像は、主要ＤＭＦに対する位置により選択された追加のＤＭＦを使用して表示することができる。
【０１９０】
意味論要素が、探されたデジタル画像のサブセットが関連付けられていることを示唆する場合、コントローラ２４２０は、そのようなサブセットのデジタル画像を決定された関係に対応して提示するように適応されてもよい。たとえば、様々な視点からの共通イベントで取得された画像は、意味論的に識別され、視点の違いと一致する方式でかつイベントの発生と一致した順序で提示される。
【０１９１】
さらに別の例では、意味論タイプの選択は、デジタル画像を提示するために使用されるＤＭＦのうちの少なくとも１つのＤＭＦの意味論フィルタを定義することを必要とすることがある。少なくとも１つの意味論要素を定義する意味論フィルタであり、これは、少なくとも１つの意味論要素を有するデジタル画像が提示されるように少なくとも１つの表示装置のために選択された意味論フィルタにしたがって、複数の個々のＤＭＦのうちの少なくとも１つのＤＭＦを使用してデジタル画像から選択されたコンテンツを提示させることができる。
【０１９２】
意味論情報は、また、５段落前の既知の位置を有するＤＭＦ上に提示するためにデジタル画像を割り当てる基準として使用することもできる。
【０１９３】
完成したとき、コントローラは、提示を所定のサイクルだけ繰り返す。別の実施形態では、ｎサイクルが完了した後、システムはランダム・モードに入り、別の所定数のサイクルを１度に提示するために意味論タイプがランダムに選択される。別の実施形態では、意味論タイプは、プロファイルに基づいて家族にとって重要な日の１〜３日のバッファ・ゾーン内で選択される。記念日になろうとする場合、選択されたシステムの意味論タイプは、昨年または結婚した年の夫婦の写真になることができる。さらに、季節や他の時系列因子にしたがって特定の意味論タイプを選択するように、季節にしたがってデジタル画像を選択することができる。
【符号の説明】
【０１９４】
２０２  外部装置、２０４  インタフェース、２１２  デジタル表示装置、１９００  デジタル・メディア・フレーム・アレイ、１９０２  アレイ構造、１９０４  デジタル・メディア・フレーム支持体、１９０８  アレイ対話システム、１９７０  アレイ・インタフェース、１９７５  アレイ・コントローラ、１９９０  プロセッサ。
【図１】
2010515934.tif 000003
【図２】
2010515934.tif 000004
【図３】
2010515934.tif 000005
【図４】
2010515934.tif 000006
【図５】
2010515934.tif 000007
【図６】
2010515934.tif 000008
【図７】
2010515934.tif 000009
【図８】
2010515934.tif 000010
【図９】
2010515934.tif 000011
【図１０】
2010515934.tif 000012
【図１１】
2010515934.tif 000013
【図１２】
2010515934.tif 000014
【図１３】
2010515934.tif 000015
【図１４】
2010515934.tif 000016
【図１５】
2010515934.tif 000017
【図１６】
2010515934.tif 000018
【図１７】
2010515934.tif 000019
【図１８】
2010515934.tif 000020
【図１９Ａ】
2010515934.tif 000021
【図１９Ｂ】
2010515934.tif 000022
【図１９Ｃ】
2010515934.tif 000023
【図１９Ｄ】
2010515934.tif 000024
【図２０】
2010515934.tif 000025
【図２１】
2010515934.tif 000026
【図２２】
2010515934.tif 000027
【図２３】
2010515934.tif 000028
【図２４】
2010515934.tif 000029
【図２５】
2010515934.tif 000030
【図２６】
2010515934.tif 000031
【国際調査報告】
2010515934.tif 000032
2010515934.tif 000033
2010515934.tif 000034